(57)【要約】  カーテンアセンブリは、回転可能な駆動要素を備え、駆動要素の外面上又は外面内に少なくとも１つの螺旋ガイド構造が形成される。駆動取付要素が、駆動要素の回転時に駆動要素に沿って軸方向に駆動取付要素を移動させるための螺旋ガイド構造に連通する構造を有している。特定の実施形態は、駆動要素を回転させる手動の又はモータ駆動の回転アセンブリを組み込んでいる。さらに特定の実施形態は、螺旋溝と、螺旋溝に係合する歯を備える構造と、を備える螺旋ガイド構造を含む。【選択図】図１
2015531663.tif 000002
【特許請求の範囲】
【請求項１】
駆動要素であって、前記駆動要素は第１端及び第２端の間で長さを延ばし、前記駆動要素は外面を有し、前記外面はガイド構造を有する、駆動要素と、
前記駆動要素に動作可能に接続されて、前記ガイド構造に連通する第１駆動取付要素と、
前記第１駆動取付要素に動作可能に接続された第１カーテンと、を備え、
前記駆動要素の回転時に前記第１カーテンが開けられる又は閉められる、窓カバーアセンブリ。
【請求項２】
前記駆動要素はほぼ円筒の形状である、請求項１に記載の窓カバーアセンブリ。
【請求項３】
前記ガイド構造は１対の時計回り螺旋溝を含む、請求項１又は２に記載の窓カバーアセンブリ。
【請求項４】
前記ガイド構造は、互いに約１８０度の間隔を空けて配置された１対の時計回り螺旋溝を含む、請求項１〜３のいずれか１項に記載の窓カバーアセンブリ。
【請求項５】
前記ガイド構造は１対の反時計回り螺旋溝を含む、請求項１〜４のいずれか１項に記載の窓カバーアセンブリ。
【請求項６】
前記ガイド構造は、互いに約１８０度の間隔を空けて配置された１対の反時計回り螺旋溝を含む、請求項１〜５のいずれか１項に記載の窓カバーアセンブリ。
【請求項７】
前記ガイド構造は、１対の時計回り螺旋溝と、１対の反時計回り螺旋溝と、を含む、請求項１〜６のいずれか１項に記載の窓カバーアセンブリ。
【請求項８】
前記駆動要素内に回転アセンブリが位置決めされる、請求項１〜７のいずれか１項に記載の窓カバーアセンブリ。
【請求項９】
前記駆動要素内にモータアセンブリが位置決めされる、請求項１〜８のいずれか１項に記載の窓カバーアセンブリ。
【請求項１０】
前記駆動要素内に電源が位置決めされる、請求項１〜９のいずれか１項に記載の窓カバーアセンブリ。
【請求項１１】
前記駆動要素内に複数のバッテリが位置決めされる、請求項１〜１０のいずれか１項に記載の窓カバーアセンブリ。
【請求項１２】
前記駆動要素が携帯電話によって起動される、請求項１〜１１のいずれか１項に記載の窓カバーアセンブリ。
【請求項１３】
前記駆動要素はリモコンによって起動される、請求項１〜１２のいずれか１項に記載の窓カバーアセンブリ。
【請求項１４】
前記駆動要素は引くことによって起動される、請求項１〜１３のいずれか１項に記載の窓カバーアセンブリ。
【請求項１５】
前記駆動要素は送信機への音声コマンドによって起動される、請求項１〜１４のいずれか１項に記載の窓カバーアセンブリ。
【請求項１６】
前記駆動取付要素は前記駆動要素の周囲に位置決めされる、請求項１〜１５のいずれか１項に記載の窓カバーアセンブリ。
【請求項１７】
前記駆動取付要素は、前記ガイド構造の溝に係合する歯を有する、請求項１〜１６のいずれか１項に記載の窓カバーアセンブリ。
【請求項１８】
前記第１カーテンは、前記駆動要素の周囲に位置決めされた複数のアイドラ取付要素に動作可能に接続される、請求項１〜１７のいずれか１項に記載の窓カバーアセンブリ。
【請求項１９】
前記ガイド構造は、前記駆動要素の長さに沿って自身から１〜６インチの間隔を空けて配置される螺旋溝を含む、請求項１〜１８のいずれか１項に記載の窓カバーアセンブリ。
【請求項２０】
前記駆動要素に接続された第２駆動取付要素に第２カーテンが動作可能に接続される、請求項１〜１９のいずれか１項に記載の窓カバーアセンブリ。
【請求項２１】
前記駆動要素の回転時に前記第１カーテン及び第２カーテンが同時に開く又は閉まるように前記駆動要素に動作可能に接続された第２カーテンをさらに備える、請求項１〜２０のいずれか１項に記載の窓カバーアセンブリ。
【請求項２２】
前記窓カバーアセンブリは中央閉めである、請求項１〜２１のいずれか１項に記載の窓カバーアセンブリ。
【請求項２３】
前記ガイド構造は少なくとも１つの螺旋溝を含み、前記少なくとも１つの螺旋溝の１以上が、前記駆動要素の断面平面に対してある角度で延在し、前記角度は１０度〜８０度である、請求項１〜２２のいずれか１項に記載の窓カバーアセンブリ。
【請求項２４】
前記ガイド構造は少なくとも１つの螺旋溝を含み、前記少なくとも１つの螺旋溝の１以上が、前記駆動要素の断面平面に対してある角度で延在し、前記角度は約４５度である、請求項１〜２３のいずれか１項に記載の窓カバーアセンブリ。
【請求項２５】
前記駆動要素は、前記駆動要素の回転時に軸が固定されたままであるように軸によってブラケットに接続される、請求項１〜２４のいずれか１項に記載の窓カバーアセンブリ。
【請求項２６】
前記第１駆動取付要素に引きロッドが接続される、請求項１〜２５のいずれか１項に記載の窓カバーアセンブリ。
【請求項２７】
前記窓カバーアセンブリは、駆動されるときに前記駆動要素の回転を停止させるセンサ又は検出器を含む、請求項１〜２６のいずれか１項に記載の窓カバーアセンブリ。
【請求項２８】
前記ガイドと前記第１駆動取付体との連通は、前記駆動要素の回転を前記第１カーテンの開け又は閉めに変換する、請求項１〜２７のいずれか１項に記載の窓カバーアセンブリ。
【請求項２９】
駆動要素であって、前記駆動要素は第１端及び第２端の間で長さを延ばし、前記駆動要素は外面を有し、前記外面はガイド構造を有する、駆動要素と、
前記駆動要素に動作可能に接続されて、前記ガイド構造に連通する第１駆動取付要素及び第２駆動取付要素と、
前記第１駆動取付要素に接続された第１カーテンと、
前記第２駆動取付要素に接続された第２カーテンと、を備え、
前記ガイド構造は、１対の時計回り螺旋溝と１対の反時計回り螺旋溝とから形成され、
前記駆動要素の回転時に前記第１カーテン及び前記第２カーテンが開けられる又は閉められる、窓カバーアセンブリ。
【請求項３０】
前記１対の時計回り螺旋溝は、互いに前記駆動要素の両側に位置決めされる、請求項２９に記載の窓カバーアセンブリ。
【請求項３１】
前記１対の反時計回り螺旋溝は、互いに前記駆動要素の両側に位置決めされる、請求項２９又は３０に記載の窓カバーアセンブリ。
【請求項３２】
前記第１駆動取付要素は前記１対の時計回り螺旋溝又は前記１対の反時計回り螺旋溝に連通し、前記第２駆動取付要素は前記１対の時計回り螺旋溝又は前記１対の反時計回り螺旋溝の他方に連通する、請求項２９に記載の窓カバーアセンブリ。
【請求項３３】
前記第１駆動取付要素は、前記１対の時計回り螺旋溝又は前記１対の反時計回り螺旋溝のいずれかに係合する１対の歯を有する、請求項２９に記載の窓カバーアセンブリ。
【請求項３４】
駆動要素であって、前記駆動要素の外面上に又は外面内に形成された少なくとも１つのガイド構造を有する駆動要素と、
駆動取付要素であって、前記少なくとも１つの構造の１以上に連通して、前記駆動要素が前記駆動要素の長手方向軸回りに回転させられるときに前記駆動要素に沿って軸方向に前記駆動取付要素を移動させる対応の構造を有する駆動取付要素と、を備える窓カバーアセンブリ。
【請求項３５】
前記駆動要素を回転させる回転アセンブリをさらに備える、請求項３４に記載の窓カバーアセンブリ。
【請求項３６】
前記駆動要素は管である、請求項３４又は３５に記載の窓カバーアセンブリ。
【請求項３７】
前記駆動要素の少なくとも一部が中空であり、前記駆動要素の前記外面が円形断面形状を有している、請求項３４又は３５に記載の窓カバーアセンブリ。
【請求項３８】
前記少なくとも１つのガイド構造は螺旋ガイド構造を備える、請求項３４〜３７のいずれか１項に記載の窓カバーアセンブリ。
【請求項３９】
前記螺旋ガイド構造は、前記駆動要素の前記外面内に形成された螺旋溝を備える、請求項３４〜３８のいずれか１項に記載の窓カバーアセンブリ。
【請求項４０】
前記少なくとも１つの対応の構造は歯を備える、請求項３４〜３９のいずれか１項に記載の窓カバーアセンブリ。
【請求項４１】
前記螺旋溝は、前記駆動要素に沿って自身から軸方向に２〜６インチの間隔を空けて配置される、請求項３９又は４０に記載の窓カバーアセンブリ。
【請求項４２】
前記少なくとも１つのガイド構造は、前記駆動要素の前記外面内に形成された第２螺旋溝を備え、前記第２螺旋溝は、前記螺旋溝と同一の方向に回転し、前記第２螺旋溝は、前記螺旋溝から軸方向に１８０度の間隔を空けて配置され、前記駆動取付要素は、前記第２螺旋溝に連通して、前記駆動要素が前記駆動要素の長手方向軸回りに回転させられるときに前記駆動要素に沿って軸方向に前記駆動取付要素を移動させる、請求項３９〜４１のいずれか１項に記載の窓カバーアセンブリ。
【請求項４３】
前記回転アセンブリはモータを備える、請求項３５〜４２のいずれか１項に記載の窓カバーアセンブリ。
【請求項４４】
前記モータは前記駆動要素の内側に装着される、請求項４３に記載の窓カバーアセンブリ。
【請求項４５】
前記モータのための電源をさらに備え、前記電源は、前記駆動要素の内側に装着される、請求項４３又は４４に記載の窓カバーアセンブリ。
【請求項４６】
前記モータはバッテリ駆動である、請求項４３〜４５のいずれか１項に記載の窓カバーアセンブリ。
【請求項４７】
前記回転アセンブリは、制御基板と、前記モータを動作させるために送信機から信号を受信することが可能な無線受信機と、をさらに備える、請求項４３〜４６のいずれか１項に記載の窓カバーアセンブリ。
【請求項４８】
前記回転アセンブリは、前記駆動要素を手動で回転させるために前記駆動要素に接続された引きひもを備える、請求項３５〜４７のいずれか１項に記載の窓カバーアセンブリ。
【請求項４９】
前記モータは、送信機への音声コマンドによって、又は、リモコン装置、携帯電話、携帯情報端末又はパーソナルコンピュータから構成された群から選択されるデバイスを使用したキーストロークによって動作させられる、請求項３５〜４８のいずれか１項に記載の窓カバーアセンブリ。
【請求項５０】
カーテンをさらに備え、前記カーテンの第１端は固定され、前記カーテンの第２端は前記駆動取付要素に接続される、請求項３４〜４９のいずれか１項に記載の窓カバーアセンブリ。
【請求項５１】
前記駆動取付要素に接続された引きロッドをさらに備え、前記駆動要素の回転時に前記駆動取付要素が前記駆動要素に沿って軸方向に移動しないように、前記引きロッドに力を加えることによって前記駆動要素の前記少なくとも１つのガイド構造からの前記構造の係合が解除される、請求項３４〜５０のいずれか１項に記載の窓カバーアセンブリ。
【請求項５２】
前記駆動要素に沿ってスライド移動するために前記駆動要素に接続された複数の単純取付要素をさらに備え、前記カーテンは、前記複数の単純取付要素を介して前記駆動要素から吊り下げられる、請求項５０又は５１に記載の窓カバーアセンブリ。
【請求項５３】
前記駆動要素を時計回りに回転させることによって前記駆動要素に沿って第１軸方向に前記駆動取付要素を移動させ、前記駆動要素を反時計回りに回転させることによって前記駆動要素に沿って第２軸方向に前記駆動取付要素を移動させ、前記第２軸方向は前記第１軸方向とは反対向きである、請求項３４〜５２のいずれか１項に記載の窓カバーアセンブリ。
【請求項５４】
前記少なくとも１つのガイド構造は、前記駆動要素の前記外面内に形成された第２螺旋溝を備え、前記第２螺旋溝は前記螺旋溝とは反対方向に回転し、前記窓カバーアセンブリは第２駆動取付要素をさらに備え、前記第２駆動取付要素は、前記第２螺旋溝に連通して、前記駆動要素が前記駆動要素の前記長手方向軸回りに回転させられるときに前記駆動要素に沿って軸方向に前記第２駆動取付要素を移動させる対応の第２構造を有しており、前記駆動要素が前記駆動要素の前記長手方向軸回りに回転させられるときに前記第２駆動取付要素は、前記駆動取付要素が移動する前記軸方向とは反対の軸方向に移動する、請求項３９〜５３のいずれか１項に記載の窓カバーアセンブリ。
【請求項５５】
左側パネル及び右側パネルから構成された中央閉めカーテンをさらに備え、前記左側パネルの一端は固定され、前記左側パネルの隣接する反対端は前記駆動取付要素に接続され、前記右側パネルの一端は固定され、前記右側パネルの隣接する反対端は前記駆動取付要素に接続される、請求項５４に記載の窓カバーアセンブリ。
【請求項５６】
前記螺旋溝及び前記第２螺旋溝は、前記駆動要素の断面平面に対して同一の角度を有する、請求項５４に記載の窓カバーアセンブリ。
【請求項５７】
第２駆動取付要素であって、前記少なくとも１つの構造の１以上に連通して、前記駆動要素が前記駆動要素の長手方向軸回りで回転させられるときに前記駆動要素に沿って軸方向に前記第２駆動取付要素を移動させる対応の第２構造を有する第２駆動取付要素をさらに備え、
前記駆動取付要素が前記少なくとも１つのガイド構造に係合されるとき、第１回転方向に前記駆動要素を回転させることによって前記駆動要素に沿って第１軸方向に前記駆動取付要素を移動させ、第２回転方向に前記駆動要素を回転させることによって前記駆動要素に沿って第２軸方向に前記駆動取付要素を移動させ、前記第２軸方向は前記第１軸方向とは反対向きであり、
前記第２駆動取付要素が前記少なくとも１つのガイド構造に係合されるとき、前記第１回転方向に前記駆動要素を回転させることによって前記駆動要素に沿って前記第１軸方向に前記第２駆動取付要素を移動させ、前記第２回転方向に前記駆動要素を回転させることによって前記駆動要素に沿って前記第２軸方向に前記第２駆動取付要素を移動させ、前記第２軸方向は前記第１軸方向とは反対向きである、請求項３４〜５３のいずれか１項に記載の窓カバーアセンブリ。
【請求項５８】
前記駆動要素上の外側位置に位置決めされた外側ドライバストール領域であって、前記駆動取付要素が前記少なくとも１つのガイド構造に係合されて前記駆動要素が前記第１回転方向に回転させられるとき、前記駆動取付要素は、前記駆動取付要素が前記外側ドライバストール領域に到達するまで前記第１軸方向に前記駆動要素に沿って軸方向に移動し、前記駆動取付要素は、前記駆動取付要素が前記少なくとも１つのガイド構造に再係合されるまで前記駆動要素のさらなる回転時に軸方向に前記駆動取付要素が移動しないように前記少なくとも１つのガイド構造との係合から解除され、
前記駆動要素上の内側位置に位置決めされた少なくとも１つの内側ドライバストール領域であって、前記第２駆動取付要素が前記少なくとも１つのガイド構造に係合されて前記駆動要素が前記第２回転方向に回転させられるとき、前記第２駆動取付要素は、前記第２駆動取付要素が前記内側ドライバストール領域に到達するまで前記第２軸方向に前記駆動要素に沿って軸方向に移動し、前記第２駆動取付要素は、前記第２駆動取付要素が前記少なくとも１つのガイド構造に再係合されるまで前記駆動要素のさらなる回転時に軸方向に前記第２駆動取付要素が移動しないように前記少なくとも１つのガイド構造との係合から解除され、
前記駆動取付要素が前記少なくとも１つのガイド構造に係合されるとき、前記第２駆動取付要素は前記少なくとも１つのガイド構造に再係合され、前記第２駆動取付要素が前記少なくとも１つのガイド構造との係合から解除されるとき、前記駆動取付要素は前記少なくとも１つのガイド構造に再係合される、請求項５７に記載の窓カバーアセンブリ。
【請求項５９】
カーテンであって、前記カーテンの端部が前記駆動取付要素に接続される、カーテンと、
第２カーテンであって、前記第２カーテンの端部が前記第２駆動取付要素に接続される、第２カーテンと、をさらに備える、請求項５７又は５８に記載の窓カバーアセンブリ。
【請求項６０】
前記駆動要素の回転は、前記カーテン及び前記第２カーテンの開け及び閉めを可能にする、請求項５７〜５９のいずれか１項に記載の窓カバーアセンブリ。
【請求項６１】
円筒要素の外面内に１以上の溝を切り出す方法であって、
円筒要素の長手方向軸回りに前記円筒要素を回転させるステップを含み、前記長手方向軸回りの前記円筒要素の回転中にさらに、
前記長手方向軸に平行な方向に互いに対してラフカッタと回転する前記円筒要素とを移動させるステップであって、前記ラフカッタはラフ開始位置からラフ終了位置まで移動し、前記ラフ開始位置は、前記円筒要素の長さに沿ったラフ軸方向開始位置と、前記長手方向軸回りのラフ回転開始位置と、を有しており、前記ラフ終了位置は、前記円筒要素の長さに沿ったラフ軸方向終了位置と、前記長手方向軸回りのラフ回転終了位置と、を有している、ステップと、
前記長手方向軸に平行な方向に互いに対してフィニッシュカッタと回転する前記円筒要素とを移動させるステップであって、前記フィニッシュカッタはフィニッシュ開始位置からフィニッシュ終了位置まで移動し、前記フィニッシュ開始位置は、前記円筒要素の長さに沿ったフィニッシュ軸方向開始位置と、前記長手方向軸回りのフィニッシュ回転開始位置と、を有しており、前記フィニッシュ終了位置は、前記円筒要素の長さに沿ったフィニッシュ軸方向終了位置と、前記長手方向軸回りのフィニッシュ回転終了位置と、を有している、ステップと、を含み、
前記ラフ開始位置から前記ラフ終了位置まで前記ラフカッタを移動させる間に、前記ラフカッタが前記円筒要素の外面のラフ部分を切り出すように前記外面に対して前記ラフカッタを位置決めし、
前記フィニッシュ開始位置から前記フィニッシュ終了位置まで前記フィニッシュカッタを移動させる間に、前記フィニッシュカッタが前記円筒要素の前記外面のフィニッシュ部分を切り出すように前記外面に対して前記フィニッシュカッタを位置決めし、
前記ラフ部分を切り出して前記フィニッシュ部分を切り出すことによって前記円筒要素の前記外面に溝を形成する、方法。
【請求項６２】
前記ラフ回転終了位置は前記ラフ回転開始位置と同一である、請求項６１に記載の方法。
【請求項６３】
前記フィニッシュ回転終了位置は前記フィニッシュ回転開始位置と同一である、請求項６２に記載の方法。
【請求項６４】
前記フィニッシュ回転開始位置は前記ラフ回転開始位置と同一である、請求項６３に記載の方法。
【請求項６５】
前記ラフ開始位置から前記ラフ終了位置まで前記ラフカッタを移動させる間に、前記ラフカッタは前記ラフ回転開始位置に維持される、請求項６２に記載の方法。
【請求項６６】
前記フィニッシュ開始位置から前記フィニッシュ終了位置まで前記フィニッシュカッタを移動させる間に、前記フィニッシュカッタは前記フィニッシュ回転開始位置に維持される、請求項６３に記載の方法。
【請求項６７】
前記ラフ開始位置から前記ラフ終了位置まで前記ラフカッタを移動させる間に、前記ラフカッタは前記ラフ回転開始位置に維持され、前記フィニッシュ開始位置から前記フィニッシュ終了位置まで前記フィニッシュカッタを移動させる間に、前記フィニッシュカッタは前記フィニッシュ回転開始位置に維持される、請求項６４に記載の方法。
【請求項６８】
前記円筒要素を回転させるステップは、一定の回転速度で前記円筒要素を回転させるステップを含む、請求項６１に記載の方法。
【請求項６９】
前記円筒要素を回転させるステップは、一定の回転速度で前記円筒要素を回転させるステップを含む、請求項６７に記載の方法。
【請求項７０】
前記ラフ開始位置から前記ラフ終了位置まで前記ラフカッタを移動させるステップは、前記ラフ開始位置から前記ラフ終了位置まで第１軸速度で前記ラフカッタを移動させるステップを含み、前記第１軸速度は一定の軸速度であり、前記フィニッシュ開始位置から前記フィニッシュ終了位置まで前記フィニッシュカッタを移動させるステップは、前記フィニッシュ開始位置から前記フィニッシュ終了位置まで前記第１軸速度で前記フィニッシュカッタを移動させるステップを含む、請求項６９に記載の方法。
【請求項７１】
前記フィニッシュ軸方向開始位置は、前記ラフ軸方向開始位置からｎリードだけ軸方向に離されており、リードは、前記円筒要素の前記外面の前記溝の３６０°の一回転によってカバーされる軸方向距離であり、ｎは、１以上の値を有する整数である、請求項７０に記載の方法。
【請求項７２】
ｎ＝１である、請求項７１に記載の方法。
【請求項７３】
前記長手方向軸回りに前記円筒要素を回転させるステップは、
前記長手方向軸に平行な方向に互いに対して第２ラフカッタと回転する前記円筒要素とを移動させるステップであって、前記第２ラフカッタは第２ラフ開始位置から第２ラフ終了位置まで移動し、前記第２ラフ開始位置は、前記円筒要素の長さに沿った第２ラフ軸方向開始位置と、前記長手方向軸回りの第２ラフ回転開始位置と、を有しており、前記第２ラフ終了位置は、前記円筒要素の長さに沿った第２ラフ軸方向終了位置と、前記長手方向軸回りの第２ラフ回転終了位置と、を有している、ステップと、
前記長手方向軸に平行な方向に互いに対して第２フィニッシュカッタと回転する前記円筒要素とを移動させるステップであって、前記第２フィニッシュカッタは第２フィニッシュ開始位置から第２フィニッシュ終了位置まで移動し、前記第２フィニッシュ開始位置は、前記円筒要素の長さに沿った第２フィニッシュ軸方向開始位置と、前記長手方向軸回りの第２フィニッシュ回転開始位置と、を有しており、前記第２フィニッシュ終了位置は、前記円筒要素の長さに沿った第２フィニッシュ軸方向終了位置と、前記長手方向軸回りの第２フィニッシュ回転終了位置と、を有している、ステップと、をさらに含み、
前記第２ラフ開始位置から前記第２ラフ終了位置まで前記第２ラフカッタを移動させる間に、前記第２ラフカッタが前記円筒要素の外面の第２ラフ部分を切り出すように前記外面に対して前記第２ラフカッタを位置決めし、
前記第２フィニッシュ開始位置から前記第２フィニッシュ終了位置まで前記第２フィニッシュカッタを移動させる間に、前記第２フィニッシュカッタが前記円筒要素の前記外面の第２フィニッシュ部分を切り出すように前記外面に対して前記第２フィニッシュカッタを位置決めし、
前記第２ラフ部分を切り出して前記第２フィニッシュ部分を切り出すことによって前記円筒要素の前記外面に第２溝を形成する、請求項７２に記載の方法。
【請求項７４】
前記第２ラフ回転開始位置、前記第２フィニッシュ回転開始位置、前記第２ラフ回転終了位置及び前記第２フィニッシュ回転終了位置は前記ラフ回転開始位置と同一である、請求項７３に記載の方法。
【請求項７５】
前記第２ラフ開始位置から前記第２ラフ終了位置まで前記第２ラフカッタを移動させる間に、前記第２ラフカッタは前記第２ラフ回転開始位置に維持され、前記第２フィニッシュ開始位置から前記第２フィニッシュ終了位置まで前記第２フィニッシュカッタを移動させる間に、前記第２フィニッシュカッタは前記第２フィニッシュ回転開始位置に維持される、請求項７４に記載の方法。
【請求項７６】
前記第２ラフ開始位置から前記第２ラフ終了位置まで前記第２ラフカッタを移動させるステップは、前記第２ラフ開始位置から前記第２ラフ終了位置まで前記第１軸速度で前記第２ラフカッタを移動させるステップを含み、前記第２フィニッシュ開始位置から前記第２フィニッシュ終了位置まで前記第２フィニッシュカッタを移動させるステップは、前記第２フィニッシュ開始位置から前記第２フィニッシュ終了位置まで前記第１軸速度で前記第２フィニッシュカッタを移動させるステップを含む、請求項７５に記載の方法。
【請求項７７】
前記第２フィニッシュ軸方向開始位置は、前記第２ラフ軸方向開始位置からｍリードだけ軸方向に離されており、ｍは、１以上の値を有する整数である、請求項７６に記載の方法。
【請求項７８】
ｍ＝１である、請求項７７に記載の方法。
【請求項７９】
前記第２ラフ軸方向開始位置は、（ｐ＋１／２）リードだけ前記フィニッシュ軸方向開始位置から軸方向に離されており、ｐは、ゼロ以上の値を有する整数である、請求項７８に記載の方法。
【請求項８０】
ｐ＝０である、請求項７９に記載の方法。
【請求項８１】
前記長手方向軸回りに前記円筒要素を回転させる間に、
前記長手方向軸に平行な方向に互いに対して第２ラフカッタと回転する前記円筒要素とを移動させるステップであって、前記第２ラフカッタは第２ラフ開始位置から第２ラフ終了位置まで移動し、前記第２ラフ開始位置は、前記円筒要素の長さに沿った第２ラフ軸方向開始位置と、前記長手方向軸回りの第２ラフ回転開始位置と、を有しており、前記第２ラフ終了位置は第２ラフ軸方向終了位置及び第２ラフ回転終了位置を有している、ステップと、
前記長手方向軸に平行な方向に互いに対して第２フィニッシュカッタと回転する前記円筒要素とを移動させるステップであって、前記第２フィニッシュカッタは第２フィニッシュ開始位置から第２フィニッシュ終了位置まで移動し、前記第２フィニッシュ開始位置は、前記円筒要素の長さに沿った第２フィニッシュ軸方向開始位置と、前記長手方向軸回りの第２フィニッシュ回転開始位置と、を有しており、前記第２フィニッシュ終了位置は第２フィニッシュ軸方向終了位置及び第２フィニッシュ回転終了位置を有している、ステップと、を含み、
前記第２ラフ開始位置から前記第２ラフ終了位置まで前記第２ラフカッタを移動させる間に、前記第２ラフカッタが前記円筒要素の外面の第２ラフ部分を切り出すように前記外面に対して前記第２ラフカッタを位置決めし、
前記第２フィニッシュ開始位置から前記第２フィニッシュ終了位置まで前記第２フィニッシュカッタを移動させる間に、前記第２フィニッシュカッタが前記円筒要素の前記外面の第２フィニッシュ部分を切り出すように前記外面に対して前記第２フィニッシュカッタを位置決めし、
前記第２ラフ部分を切り出して前記第２フィニッシュ部分を切り出すことによって前記円筒要素の前記外面に第２溝を形成する、請求項６１に記載の方法。
【請求項８２】
円筒要素の外面内に２つの溝を切り出す方法であって、
円筒要素の長手方向軸回りに前記円筒要素を回転させるステップと、
前記長手方向軸に平行な方向に互いに対して第１カッタと回転する前記円筒要素とを移動させるステップであって、前記第１カッタは第１開始位置から第１終了位置まで移動し、前記第１開始位置は、前記円筒要素の長さに沿った第１軸方向開始位置と、前記長手方向軸回りの第１回転開始位置と、を有しており、前記第１終了位置は、前記円筒要素の長さに沿った第１軸方向終了位置と、前記長手方向軸回りの第１回転終了位置と、を有している、ステップと、
前記長手方向軸に平行な方向に互いに対して第２カッタと回転する前記円筒要素とを移動させるステップであって、前記第２カッタは第２開始位置から第２終了位置まで移動し、前記第２開始位置は、前記円筒要素の長さに沿った第２軸方向開始位置と、前記長手方向軸回りの第２回転開始位置と、を有しており、前記第２終了位置は、前記円筒要素の長さに沿った第２軸方向終了位置と、前記長手方向軸回りの第２回転終了位置と、を有している、ステップと、を含み、
前記第１開始位置から前記第１終了位置まで前記第１カッタを移動させる間に、前記第１カッタが前記円筒要素の外面の第１部分を切り出すように前記外面に対して前記第１カッタを位置決めし、
前記第２開始位置から前記第２終了位置まで前記第２カッタを移動させる間に、前記第２カッタが前記円筒要素の前記外面の第２部分を切り出すように前記外面に対して前記第２カッタを位置決めし、
前記第１部分を切り出すことによって前記円筒要素の前記外面に第１溝を形成し、
前記第２部分を切り出すことによって前記円筒要素の前記外面に第２溝を形成する、方法。
【請求項８３】
前記第１回転終了位置は前記第１回転開始位置と同一である、請求項８２に記載の方法。
【請求項８４】
前記第２回転終了位置は前記第２回転開始位置と同一である、請求項８３に記載の方法。
【請求項８５】
前記第２回転開始位置は前記第１回転開始位置と同一である、請求項８４に記載の方法。
【請求項８６】
前記第１開始位置から前記第１終了位置まで前記第１カッタを移動させる間に、前記第１カッタは前記第１回転開始位置に維持される、請求項８２に記載の方法。
【請求項８７】
前記第２開始位置から前記第２終了位置まで前記第２カッタを移動させる間に、前記第２カッタは前記第２回転開始位置に維持される、請求項８４に記載の方法。
【請求項８８】
前記第１開始位置から前記第１終了位置まで前記第１カッタを移動させる間に、前記第１カッタは前記第１回転開始位置に維持され、前記第２開始位置から前記第２終了位置まで前記第２カッタを移動させる間に、前記第２カッタは前記第２回転開始位置に維持される、請求項８５に記載の方法。
【請求項８９】
前記第２回転開始位置は前記第１回転開始位置と同一である、請求項８８に記載の方法。
【請求項９０】
前記円筒要素を回転させるステップは、一定の回転速度で前記円筒要素を回転させるステップを含む、請求項８２に記載の方法。
【請求項９１】
前記円筒要素を回転させるステップは、一定の回転速度で前記円筒要素を回転させるステップを含む、請求項８９に記載の方法。
【請求項９２】
前記第１開始位置から前記第１終了位置まで前記第１カッタを移動させるステップは、前記第１開始位置から前記第１終了位置まで第１軸速度で前記第１カッタを移動させるステップを含み、前記第１軸速度は一定の軸速度であり、前記第２開始位置から前記第２終了位置まで前記第２カッタを移動させるステップは、前記第２開始位置から前記第２終了位置まで前記第１軸速度で前記第２カッタを移動させるステップを含む、請求項９１に記載の方法。
【請求項９３】
前記第２軸方向開始位置は、分離軸方向距離だけ前記第１軸方向開始位置から軸方向に離されており、前記第２溝は、前記分離軸方向距離だけ前記第１溝から離されている、請求項９２に記載の方法。
【請求項９４】
前記分離軸方向距離は（ｋ＋１／２）リードであり、リードは、前記円筒要素の前記外面の前記第１溝の３６０°の一回転によってカバーされる軸方向距離であり、ｋは、ゼロ以上の値を有する整数である、請求項９３に記載の方法。
【請求項９５】
ｋ＝０である、請求項９４に記載の方法。
【請求項９６】
円筒要素の外面内に１以上の溝を有する円筒要素であって、前記１以上の溝が、前記円筒要素の長手方向軸回りに前記円筒要素を回転させるステップを含む方法を通じて前記円筒要素の外面内に切り出され、前記長手方向軸回りの前記円筒要素の回転中にさらに、
前記長手方向軸に平行な方向に互いに対してラフカッタと回転する前記円筒要素とを移動させるステップであって、前記ラフカッタはラフ開始位置からラフ終了位置まで移動し、前記ラフ開始位置は、前記円筒要素の長さに沿ったラフ軸方向開始位置と、前記長手方向軸回りのラフ回転開始位置と、を有しており、前記ラフ終了位置は、前記円筒要素の長さに沿ったラフ軸方向終了位置と、前記長手方向軸回りのラフ回転終了位置と、を有している、ステップと、
前記長手方向軸に平行な方向に互いに対してフィニッシュカッタと回転する前記円筒要素とを移動させるステップであって、前記フィニッシュカッタはフィニッシュ開始位置からフィニッシュ終了位置まで移動し、前記フィニッシュ開始位置は、前記円筒要素の長さに沿ったフィニッシュ軸方向開始位置と、前記長手方向軸回りのフィニッシュ回転開始位置と、を有しており、前記フィニッシュ終了位置は、前記円筒要素の長さに沿ったフィニッシュ軸方向終了位置と、前記長手方向軸回りのフィニッシュ回転終了位置と、を有している、ステップと、を含み、
前記ラフ開始位置から前記第３位置まで前記ラフカッタを移動させる間に、前記ラフカッタが前記円筒要素の外面のラフ部分を切り出すように前記外面に対して前記ラフカッタを位置決めし、
前記フィニッシュ開始位置から前記フィニッシュ終了位置まで前記フィニッシュカッタを移動させる間に、前記フィニッシュカッタが前記円筒要素の前記外面のフィニッシュ部分を切り出すように前記外面に対して前記フィニッシュカッタを位置決めし、
前記ラフ部分を切り出して前記フィニッシュ部分を切り出すことによって前記円筒要素の前記外面に溝を形成する、円筒要素。
【請求項９７】
円筒要素の外面内に１以上の溝を有する円筒要素であって、前記１以上の溝が方法を介して円筒要素の外面内に切り出され、前記方法は、
円筒要素の長手方向軸回りに前記円筒要素を回転させるステップと、
前記長手方向軸に平行な方向に互いに対して第１カッタと回転する前記円筒要素とを移動させるステップであって、前記第１カッタは第１開始位置から第１終了位置まで移動し、前記第１開始位置は、前記円筒要素の長さに沿った第１軸方向開始位置と、前記長手方向軸回りの第１回転開始位置と、を有しており、前記第１終了位置は、前記円筒要素の長さに沿った第１軸方向終了位置と、前記長手方向軸回りの第１回転終了位置と、を有している、ステップと、
前記長手方向軸に平行な方向に互いに対して第２カッタと回転する前記円筒要素とを移動させるステップであって、前記第２カッタは第２開始位置から第２終了位置まで移動し、前記第２開始位置は、前記円筒要素の長さに沿った第２軸方向開始位置と、前記長手方向軸回りの第２回転開始位置と、を有しており、前記第２終了位置は、前記円筒要素の長さに沿った第２軸方向終了位置と、前記長手方向軸回りの第２回転終了位置と、を有している、ステップと、を含み、
前記第１開始位置から前記第１終了位置まで前記第１カッタを移動させる間に、前記第１カッタが前記円筒要素の外面の第１部分を切り出すように前記外面に対して前記第１カッタを位置決めし、
前記第２開始位置から前記第２終了位置まで前記第２カッタを移動させる間に、前記第２カッタが前記円筒要素の前記外面の第２部分を切り出すように前記外面に対して前記第２カッタを位置決めし、
前記第１部分を切り出すことによって前記円筒要素の前記外面に第１溝を形成し、
前記第２部分を切り出すことによって前記円筒要素の前記外面に第２溝を形成する、円筒要素。
【発明の詳細な説明】
【技術分野】
【０００１】
本願は、２０１２年９月１７日出願の米国仮特許出願第６１／７０２，０９３号の利益を主張するとともに、２０１２年９月１７日出願の米国仮特許出願第６１／７０２，０９３号の利益を主張する２０１３年３月１５日出願の米国特許出願第１３／８４１，７３２号の利益を主張し、すべての図、表又は図面を含むそれらすべての出願はその全体が参照によって本願に組み入れられる。
【０００２】
本発明の実施形態は、概して、窓を覆うために使用される窓カバーに関する。本発明の特定の実施形態は、回転可能な駆動要素を有する窓カバーアセンブリに関し、回転可能な駆動要素は、当該回転可能な駆動要素が回転するときに当該回転可能な駆動要素に沿って軸方向に窓カバーが移動するように当該回転可能な駆動要素の外面内又は外面上に形成された構造を有している。さらに特定の実施形態は、ユーザが各カーテンを独立して移動させることができるように同一の回転する駆動要素によって２つの異なるカーテンが操作される窓カバーアセンブリに関する。
【背景技術】
【０００３】
カーテンなどの窓カバーは、プライバシーを提供するため、かつ、窓を通って室内に入り得る光の量を制限するためによく使用される。
【０００４】
多くのタイプの窓カバーが従来知られている。カーテンは生地のパネルから構成され得る。例えば、カーテンは、左から右に開け閉めする単一のパネルカーテンであり得る。また、窓を閉じて窓を覆うために窓の中央で交わる２つの生地パネルから構成された中央閉めカーテンがある。
【０００５】
ユーザの要求や好みに応じて多くの様々なタイプの生地が使用され得る。例えば、時には、窓を覆うだけでなく、光を通過させないように窓を完全に真っ暗にすることも必要である。この場合、窓を完全に暗くする不透明な生地から構成された暗幕カーテンが有用であり得る。しかしながら、多少の光が求められかつ多少の視界が求められる他の状況もあり得る。半透明の生地から構成されたシアーカーテンがこの場合は有用であり得る。
【０００６】
カーテンパネルは、窓の上方に掛けられた横のカーテンレールに取り付けられてそのカーテンレールから吊り下げられる。パネルは通常、フック又はリングによってカーテンレールに結合される。窓を覆う又は露出させるために引きロッド等によって所望のとおりにカーテンレールにわたってカーテンを手動で移動させることが可能である。
【０００７】
開口部にわたって往復して機械的にカーテンを移動させるための電気及び手動の様々な機構がある。典型的なデザインは、カーテンが吊り下げられるカーテンガイドトラックを使用する。あるカーテンアセンブリは、カーテンを移動させるために一連の滑車、ケーブル及びベルトを使用する。場合によっては、これらの機構はモータで駆動される。この場合、使用されるコンポーネントの数が、アセンブリを複雑化し、アセンブリのコストも増加させる。
【０００８】
ユーザの要求及び好みに応じて多くの様々なタイプの生地が使用され得る。例えば、時には、窓を覆うだけでなく、光を通過させないように窓を完全に真っ暗にすることも必要である。この場合、窓を完全に暗くする不透明な生地から構成された暗幕カーテンが有用であることがある。しかしながら、多少の光が求められかつ多少の視界が求められる他の状況もあり得る。半透明の生地から構成されたシアーカーテンがこの場合有用であり得る。
【０００９】
シアーカーテンはたいてい、その時々における光及び視界に関する様々な好みに適応するために同じ窓に暗幕カーテンとともに吊り下げられる。例えば、暗幕カーテンは、望ましくない明け方の太陽を遮断するために使用され得る。その後、その日のうちにシアーカーテンを通して日光が漏れることを可能にするために暗幕カーテンを開けることができる。暗幕カーテンがシアーカーテンととともに吊り下げられる場合、天候に応じて自宅を涼しく又は暖かく維持するために様々なカーテンを使用することによって公共料金を下げ得る。
【００１０】
しかしながら、２つの異なるカーテンを吊り下げることは、各カーテンに１つのガイドトラック、すなわち、２つの異なるガイドトラックの設置を必要とする。２つのカーテンが同じカーテンガイドトラックから吊り下げられる場合、他方のカーテンを移動させずに一方のカーテンを移動させることはできず、また、そのことが両方のカーテンが同時にその展開位置にあることを妨げてしまう。
【００１１】
従って、モータで駆動されるとともに手動で操作可能なコンポーネントの数を最小にして、その展開位置から格納位置にカーテンを移動させる簡素なカーテンアセンブリを有することが好都合である。さらに、２つの別個のカーテンを移動させる二重カーテンアセンブリを有することがさらに好都合である。
【発明の概要】
【００１２】
本発明の実施形態は窓カバーアセンブリに関する。便宜上、他の窓カバーにも同様に説明が当てはまるという理解の下で、カーテンについて様々な実施形態を説明する。カーテンアセンブリの実施形態は、少なくとも１つのガイド構造が駆動要素の外面上又は外面内に形成される駆動要素と、少なくとも１つのガイド構造に連通して駆動要素の回転時に駆動要素に沿って軸方向に駆動取付要素を移動させる対応の構造を有する駆動取付要素と、駆動要素を回転させる回転アセンブリと、を含む。本発明のある実施形態では、ガイド構造は回転可能な駆動要素上に螺旋パターンを形成し、対応の構造は、駆動要素の回転時に溝によって移動させられる歯である。ガイド構造は、駆動の回転時に駆動要素に沿って軸方向に対応の構造を移動させることが可能な隆起部又は他の構造であってもよい。
【００１３】
特定の実施形態では、駆動要素は管である。
【００１４】
本発明に係る特定の実施形態では、カーテンアセンブリは、駆動要素の外面上又は外面内に形成された時計回り螺旋ガイド構造及び反時計回り螺旋ガイド構造を有する回転可能な駆動要素と、時計回り螺旋ガイド構造に連通して駆動要素の回転時に駆動要素に沿って軸方向に駆動取付要素を移動させる構造を有する第１駆動取付要素と、反時計回り螺旋ガイド構造に連通して駆動要素の回転時に駆動要素に沿って軸方向に駆動取付要素を移動させる構造を有する第２駆動取付要素と、駆動要素を回転させる回転アセンブリと、を含む。
【００１５】
本発明のある実施形態によれば、二重カーテンアセンブリが提供される。特定の実施形態の二重カーテンアセンブリは、駆動要素の外面上又は外面内に形成された少なくとも１つのガイド構造を有する回転可能な駆動要素と、少なくとも１つのガイド構造に連通して駆動管の回転時に駆動要素に沿って軸方向に少なくとも２つの駆動取付要素を移動させる対応の少なくとも２つの構造を有する少なくとも２つの駆動取付要素と、を含む。さらに特定の実施形態は、駆動要素を回転させる回転アセンブリを組み込むことも可能である。回転アセンブリは手動であってもよく又はモータで駆動されてもよい。
【００１６】
本発明のある実施形態によれば、二重カーテンアセンブリは、駆動要素の外面上又は外面内に形成された少なくとも１つのガイド構造を有する駆動要素と、少なくとも１つのガイド構造に連通して駆動要素の回転時に駆動要素に沿って軸方向に少なくとも１つの駆動取付要素を移動させる対応の少なくとも１つの外側構造を有する少なくとも１つの外側駆動取付要素と、少なくとも１つのガイド構造に連通して駆動要素の回転時に駆動要素に沿って軸方向に少なくとも１つの内側駆動取付要素を移動させる対応の少なくとも１つの特徴部を有する少なくとも１つの内側駆動取付要素と、駆動要素を回転させる回転アセンブリと、を含む。
【００１７】
本発明のさらに別の実施形態によれば、例えば、中央閉めカーテンシステムに適用可能であり、カーテンアセンブリは、駆動要素の外面上又は外面内に形成された少なくとも１つのガイド構造を有する駆動要素と、少なくとも１つのガイド構造に連通して駆動要素の回転時に駆動要素に沿って軸方向に左外側駆動取付要素を移動させる対応の左外側構造を有する左外側駆動取付要素と、少なくとも１つのガイド構造に連通して駆動要素の回転時に駆動要素に沿って軸方向に右外側駆動取付要素を移動させる右外側構造を有する右外側駆動取付要素と、少なくとも１つのガイド構造に連通して駆動要素の回転時に駆動要素に沿って軸方向に左内側駆動取付要素を移動させる対応の左内側構造を有する左内側駆動取付要素と、少なくとも１つのガイド構造に連通して駆動要素の回転時に駆動要素に沿って軸方向に右内側駆動取付要素を移動させる対応の右内側構造を有する右内側駆動取付要素と、駆動要素を回転させる回転アセンブリと、を含み、駆動要素の回転は、駆動要素の回転時に駆動要素に沿って軸方向に左外側駆動取付要素及び右外側駆動要素を移動させ、駆動要素の回転時に駆動要素に沿って左内側駆動取付要素及び右内側駆動取付要素を独立して移動させる。
【００１８】
本発明の実施形態は、円筒要素に１以上の溝を切り出すことに関する。
【００１９】
米国特許第４，１２５，０５７号明細書（Ｃｏｘ）は、特に、大き過ぎる又は不規則形状であるためにそれ自体を回転させることができないワークピースの円筒状又は円錐状の突出部の外部に又は同様の形状の孔内に、任意の選択した間隔のねじ山を形成するために主として使用されるモータ駆動のフライス加工及び穿孔機械を教示している。直立している又は角度調整可能で使い捨ての管状ハウジングが、縦方向に変位可能で回転可能なハンガーをジャーナル軸受け（ｊｏｕｒｎａｌ）しており、ハンガーが、選択的にオフセットして位置決め可能なスタブ部分を有する電力駆動スピンドルをジャーナル軸受けしており、スタブ部分は、その終端で、回転フライス加工カッタを遠位に位置決めする半径方向に拡張可能な駆動セグメントを運んでいる。第２の惑星トラッキングモータが、ハウジングの選択的に結合されたリングギアの対を一緒に動作させ、リングギアの対は、ハウジング軸に沿って固定されたマスタナットと連動して、遠位のカッタが螺旋経路を辿るようにそれぞれ環状かつ軸方向にハンガーを移動させ、当該経路の間隔は、２つのリングギアを前提とした選択された速度比によって決定される。特定の速度比は、対のリングギア同士の間に挿入可能な着脱可能な２つのセグメントのギア列カセットに組み込まれたギアリングの選択から生じる。依然として所定の位置にある間、ギア列は、ハンガーの１つの駆動コンポーネントから取り外され、多条ねじの製造のための正確な再設定を可能にし、又は代替的に、カッタの環状又は線形の移動を提供し得る。カラー形状の電磁支持ベースは、それをセンタリングするための、従って、ねじ山を形成されるべきワークピースの予め形成された孔に対して、その上に連続的に搭載されたフライス加工機械をセンタリングする連結触覚手段を有している。ワークピースからのカッタヘッドの迅速な後退のために半径方向推力後退手段が設けられ、その結果、カッタヘッドは、螺旋入口経路を後退させずに孔の外側に持ち上げられ得る。
【００２０】
米国特許第４，２１２，５６８号明細書（Ｍｉｎｉｃｏｚｚｉ）は、長手方向軸を有する切断部分と、前記切断部分の長さを延長する複数の歯であって、歯の各々が切断面、後縁面、並びに、切断面及び後縁面を橋渡しする着地面を有する、複数の歯と、を備える回転切断ツールブランクを教示している。着地面は、相対的に大きな半径を有するアーチ形の断面を有する間隔を空けた複数の横断凹部によって途切れており、切断面と着地面の途切れてない部分との接点に複数の切刃部分を形成する。切刃部分は正のすくい角を有しており、かつ、各歯の後縁面及び切断面は、各切刃部分のすくい角がその全長に沿って連続的に変化するように切断部分の一端から他端までほぼ正弦曲線状にうねる。切断ツールブランクは、単に、適切に着地面を緩和して上述の切刃部分で切刃を形成することによって、切断ツールを使える状態に変形することが可能である。
【００２１】
米国特許第４，９９６，８６１号明細書（Ｋｅｌｌｕｍ）は、雄ねじが切られたスピンドルを含む装置を教示しており、スピンドルには、薄肉の金属管の一端が着脱可能に固定されている。スピンドルは、回転させられて雄ねじに管を巻き付けることによって螺旋を生成する。管がスピンドルに巻き付けられると、管は、補助ローラによってねじ溝内に圧入される。
【００２２】
米国特許第５，２６３，３８１号明細書（Ｓｈｉｒａｉ）は、ねじロッドと、ロッドが回転させられる際にロッドの周囲で直線的な運動を作り出すボールナットと、を備えるボールねじを教示している。互いにオフセットした関係を有する第１負荷ボール溝及び第２負荷溝がボールナットの内面に形成される。それらの２つの負荷溝で回転するボール軸受けに前負荷が付与されている。ボールナットは、第１及び第２負荷ボール溝の間に弾性部分を有している。弾性部分は軸方向に変位可能である。ボール軸受け溝のリード内に若しくは第１又は第２負荷ボール溝のリード内に導入されたエラーによって形成された任意の過度の前負荷が弾性部分によって吸収される。その結果、新規なボールねじは、従来技術のボールねじよりも精度において優れており、かつ、製造がさらに容易になる。
【００２３】
米国特許第５，７７５，１８７号明細書（Ｎｉｋｏｌａｉ他）は、機械加工の方法を教示しており、ツールは、ブランクの表面上に三角形の断面を有する、交互に配置された隆起部、パッド、セル及び隆起部の形態のパターンを得るためにツールが使用される。この方法は、既定の間隔かつ既定の高さ及び傾斜角で、輪郭の平行な辺を有する交互に配置された隆起部及び窪みを得るため、ツールの幾何学的パラメータ、及び、ツールに関する機械加工モードの選択を容易にする。突起部同士の間の空間の幅はミリメートル及びミクロンの範囲で変化し得る。
【００２４】
米国特許第５，９７１，０４５号明細書（Ｗａｔａｎａｂｅ）は、ナイフストックに回転可能に固定された、丸太（１）の皮をはがすためのナイフ（２）と、丸太（１）の回転方向において前記ナイフ（２）に対して上流側で丸太（１）の円周面を押圧するように配置されたローラバー（３）と、を備えるベニア旋盤を教示している。ローラバー（３）は、最大３０ｍｍの直径を有しており、その円周面に、ローラバー（３）の円周面よりも低い高さを有する多数の突起部（５）を備えている。ローラバー（３）は、スライド軸受け（９）に支持されており、駆動源からの回転力を受け取るように適合している。ローラバー（３）は、圧力バーとしてのみでなく、丸太（１）を回転させるための力伝達媒体としても機能し、それによって生成されるべきベニアの旋盤チェックの生成を防止する。
【００２５】
米国特許第６，１８６，７５６号明細書（Ｋｏｊｉｍａ）はロータ１を教示しており、ロータ１は、その軸上のその外端２に突出して中心シャフト３を備えるねじ歯を形成している。中心シャフト３は、その外端４に、小径シャフト５又は凹んだ取付孔を備えている。小径シャフト５上に取り付けられる又は凹んだ取付孔内に取り付けられることになる別個のロータシャフト６は、別の凹んだ取付孔７又は小径シャフトを備えている。その周囲に合成樹脂が成形された金属シャフトの周縁面には、ねじロータの回転方向に対して反対の回転方向に螺旋溝又は波形溝が形成される。螺旋溝は、隣接する溝の輪郭に接続する滑らかな孤状の曲線によって形成される。シャフトは段を備えており、合成樹脂はシャフトの表面の周囲に成形されてねじロータを形成する。
【００２６】
米国特許第６，２８９，５９５号明細書（Ｇａｌｅｓｔｉｅｎ）は、雌ねじ及び雄ねじ並びに同様のワークピースの完全な二次元軸方向断面の決定を教示しており、ワークピースの中心線を通る平面において、互いに直径方向に対向して配置された２つのねじ山のプロファイルが、この平面における２回の二次元スキャン測定を通じて測定され、又は、測定ボール若しくは測定ワイヤによる２つのプロファイル深さ測定に基づいた計算構造を通じて測定され、さらに、問題のねじ山プロファイルが既知の寸法及び形状をさらに有しているとの推定に基づいて測定され、その後、これらの２つの反対のプロファイルは、例えば、雄ねじの場合に外径、かつ、雌ねじの場合に谷径などの１以上の関連した測定を実行することによって互いに関連付けられる。谷径、外径及びフランク径の適切な同心度が取り込まれる場合、１つのみのプロフィルと１以上の関連した測定の測定又はスキャンで十分であり得る。
【００２７】
米国特許第７，８４９，７６９号明細書（Ａｋｉｙａｍａ）は、ローラの表面上に、３面ピラミッドなどの３次元形状の部分を含むパターンを高い精度で形成することが可能な精密ローラ回転旋盤を教示している。具体的には、ローラを通じて切断された螺旋溝を形成する場合に、ツールの先端の切断面が、螺旋溝が延びる方向に直行する方向に向けられるように、ツールを回転させるために使用されるツール回転軸（Ａ軸）をツールポストが備えている。
【００２８】
米国特許第８，３０８，４６３号明細書（Ｋａｔａｏｋａ）は、金属製シャフトの周囲に形成された樹脂ロータを含むねじロータをクラックを生成することなく提供することを教示している。螺旋溝は、樹脂ロータが形成される金属製シャフトの表面の周囲に形成される。好ましくは、シャフトの表面がサンドブラストで仕上げられ、シャフトの表面が予め樹脂でコーティングされた後にロータが成形され得る。
【００２９】
従来技術は、シャフト又は管の外面内又は外面上に螺旋状の又は螺旋に延びる溝を形成する複数の方法を教示している。これらの方法のいくつかは、複雑であり、溝を形成又は機械加工するのに時間がかかる。従って、円筒形のシャフト又は管の外面に溝をより効率的に及び／又はより高い精度で機械加工する方法及び装置が求められている。
【００３０】
本発明のこれらの特徴及び態様は、その利点とともに、以下の説明、添付の特許請求の範囲及び添付の図面を参照することによって理解される。
【図面の簡単な説明】
【００３１】
【図１】図１は、カーテンが展開位置にあって窓が覆われていることを示すカーテンアセンブリの一実施形態の斜視図である。
【図２】図２は、カーテンが格納位置にあって窓が覆われていないことを示すカーテンアセンブリの一実施形態の斜視図である。
【図３】図３は、格納位置にある左方向カーテンを示すカーテンアセンブリの一実施形態の斜視図である。
【図４】図４は、展開位置で窓を覆う中央閉めカーテンを示すカーテンアセンブリの一実施形態の拡大斜視図である。
【図５】図５は、駆動要素の回転の動力がバッテリ駆動モータによって供給されるカーテンアセンブリの一実施形態に係る回転可能駆動要素のコンポーネントの拡大斜視図である。
【図６】図６は、モータの電源が駆動要素の外側にあるカーテンアセンブリの一実施形態に係る回転可能駆動要素のコンポーネントの拡大斜視図である。
【図７】図７は、時計回り螺旋溝を有する回転可能駆動要素を示すカーテンアセンブリの一実施形態の拡大斜視図である。
【図８】図８は、反時計回り螺旋溝を有する回転可能駆動要素を示すカーテンアセンブリの一実施形態の拡大斜視図である。
【図９】図９は、時計回り螺旋溝及び反時計回り螺旋溝を有する回転可能駆動要素を示すカーテンアセンブリの一実施形態の拡大斜視図である。
【図１０】図１０は、一実施形態に係る駆動取付要素の拡大斜視図である。
【図１１】図１１は、一実施形態に係る歯としての構造６２を示す駆動取付要素３６の拡大側面図である。
【図１２】図１２は、一実施形態に係る駆動歯６２の角度を示す駆動取付要素３６の拡大断面図である。
【図１３】図１３は、一実施形態に係る第１駆動歯及び第２駆動歯を有する駆動取付要素の拡大斜視図である。
【図１４】図１４は、一実施形態に係る第１駆動歯及び第２駆動歯を有する駆動取付要素３６の拡大側面図である。
【図１５】図１５は、一実施形態に係る第２駆動歯９０の角度を示す駆動取付要素３６の拡大断面図である。
【図１６】図１６は、一実施形態に係る第１駆動歯８８の角度を示す駆動取付要素３６の拡大断面図である。
【図１７】図１７は、第１螺旋溝３８の第１駆動歯８８の係合を示す管２６及び駆動取付要素３６の断面図である。
【図１８】図１８は、カーテンアセンブリの一実施形態に係るモータ駆動アダプタの拡大端面図である。
【図１９】図１９は、カーテンアセンブリの一実施形態に係るモータ駆動アダプタの拡大斜視図である。
【図２０】図２０は、一実施形態に係る回転可能駆動要素の拡大斜視図である。
【図２１】図２１は、一実施形態に係る回転可能駆動要素の拡大端面図である。
【図２２】図２２は、管２６の２つの時計回り螺旋溝３８及び２つの反時計回り溝４０を映す位置に断面を有する好適な管の実施形態の拡大斜視図である。
【図２３】図２３は、時計回り螺旋溝３８及び反時計回り溝４０の開始点を示す好適な実施形態の駆動要素アセンブリの端面図である。
【図２４】図２４は、図２２の断面図である。
【図２５】図２５は、好適な実施形態のカーテンアセンブリである。
【図２６】図２６は、駆動要素の中点に対する螺旋溝３８及び４０の機能的な関係の図であり、中央閉めカーテン生地上での駆動要素の中点で駆動取付要素が交わることを保証する図である。
【図２７】図２７は、外側カーテンが展開位置にある暗幕カーテンであって内側カーテンが展開位置にあるシアーカーテンである場合のカーテンアセンブリの一実施形態の斜視図である。
【図２８】図２８は、外側カーテンが格納位置にある暗幕カーテンであって内側カーテンが展開位置にあるシアーカーテンである場合のカーテンアセンブリの一実施形態の斜視図である。
【図２９】図２９は、外側カーテン及び内側カーテンの両方が格納位置にある場合のカーテンアセンブリの実施形態の斜視図である。
【図３０】図３０は、図６の外側バッテリパックの位置を示すために切断された部分を有する暗幕カーテンである外側カーテンを有する好適な実施形態の斜視図である。
【図３１】図３１は、内側バッテリ電源を示すカーテンアセンブリの一実施形態に係る回転可能駆動要素のコンポーネントの拡大斜視図である。
【図３２】図３２は、外部電源を示すカーテンアセンブリの一実施形態に係る回転可能駆動要素のコンポーネントの拡大斜視図である。
【図３３】図３３は、カーテンアセンブリの一実施形態に係る螺旋溝及び非駆動溝を示す回転可能駆動要素の駆動セクションの断面図である。
【図３４】図３４は、カーテンアセンブリの非駆動溝の一実施形態の拡大斜視図である。
【図３５】図３５は、図３４に示すカーテンアセンブリと同じ実施形態に係る内側駆動取付要素及び内側ドライバストール領域を示す回転可能駆動要素の一方の遠位端の拡大斜視図である。
【図３６】図３６は、カーテンアセンブリの一実施形態に係る内側駆動取付要素の拡大側面図である。
【図３７】図３７は、カーテンアセンブリの一実施形態に係る内側駆動取付要素の拡大斜視図である。
【図３８】図３８は、カーテンアセンブリの一実施形態に係る内側駆動取付要素の拡大断面図である。
【図３９】図３９は、カーテンアセンブリの一実施形態に係る内側駆動取付要素の拡大側面図である。
【図４０】図４０は、カーテンアセンブリの一実施形態に係る内側駆動取付要素の拡大斜視図である。
【図４１】図４１は、カーテンアセンブリの一実施形態に係る内側駆動取付要素の拡大断面図である。
【図４２】図４２は、カーテンアセンブリの一実施形態に係る外側アイドラ取付要素の拡大斜視図である。
【図４３】図４３は、カーテンアセンブリの一実施形態に係る外側アイドラ取付要素の拡大断面図である。
【図４４】図４４は、カーテンアセンブリの一実施形態に係る外側アイドラ取付要素の拡大側面図である。
【図４５】図４５は、カーテンアセンブリの一実施形態に係る外側駆動取付要素の拡大側面図である。
【図４６】図４６は、カーテンアセンブリの一実施形態に係る外側駆動取付要素の拡大断面図である。
【図４７】図４７は、カーテンアセンブリの一実施形態に係る外側駆動取付要素の拡大斜視図である。
【図４８】図４８は、ガイドトラック、ガイド、取付要素、及び内側カーテン係合体の位置を示すカーテンアセンブリの端面図である。
【図４９】図４９は、外側カーテンが格納位置にある中央閉め暗幕カーテンであって内側カーテンが展開位置にある中央閉めシアーカーテンである場合の一実施形態に係るカーテンアセンブリの斜視図である。
【図５０】図５０は、外側カーテンが展開位置にある中央閉め暗幕カーテンであって内側カーテンが格納位置にある中央閉めシアーカーテンである場合の一実施形態に係るカーテンアセンブリの斜視図である。
【図５１】図５１は、内側ドライバストール領域を有する管端の斜視図である。
【図５２】図５２は、内側カーテン及び外側カーテンを展開させた状態のガイド及び取付要素の位置を見るためにガイドトラックが除去され、外側駆動取付要素が、ストール領域にある内側取付要素に対してストールする場合に管の回転を停止させることができる、カーテンアセンブリの平面図である。
【図５３】図５３は、内側カーテンを展開させた状態のガイド及び取付要素の位置を見るためにガイドトラックが除去され、内側カーテン係合体が係合外側駆動取付要素位置にあって内側取付要素がストール領域にある、カーテンアセンブリの平面図である。
【図５４】図５４は、内側カーテン及び外側カーテンを格納位置に配置した状態のガイド及び取付要素の位置を見るためにガイドトラックが除去され、外側単一取付要素及び外側駆動取付要素が非駆動領域又はストール領域にある、カーテンアセンブリの平面図である。内側カーテン駆動取付要素は、外側カーテン駆動取付要素に接触する際に管の回転を停止させることができる。
【図５５】図５５は、外側取付部が管によって格納され、内側カーテン及び外側カーテンが除去されて、内側カーテン係合体及びキャリアトラックの位置を示す領域の斜視図である。
【図５６】図５６は、内側カーテンキャリア及びＳ字フックの斜視図である。
【図５７】図５７は、内側カーテン係合体を有する内側カーテンキャリアの斜視図である。
【図５８】図５８は、外側ドライバストール領域と１８０度の間隔を空けて配置された２つの螺旋溝とを有する好適な管の実施形態の３つの図である。
【図５９】図５９は、２つが反時計回りに１８０度の間隔を空けて配置され、２つが時計回りに１８０度の間隔を空けて配置された４つの螺旋溝を有する別の管の実施形態の図である。
【図６０】図６０は、３つの突出部に分かれた管、駆動要素及び内側管ドライバの別の実施形態を示す図である。
【図６１】図６１は、内側カーテンキャリア及びＳ字フックの４つの図を示す。
【図６２】図６２は、内側カーテン係合体の４つの図を示す。
【図６３Ａ】図６３Ａは、本発明の特定の実施形態の制御システムに関するフローチャートである。
【図６３Ｂ】図６３Ｂは、本発明の特定の実施形態の制御システムに関するフローチャートである。
【図６３Ｃ】図６３Ｃは、本発明の特定の実施形態の制御システムに関するフローチャートである。
【図６３Ｄ】図６３Ｄは、本発明の特定の実施形態の制御システムに関するフローチャートである。
【図６３Ｅ】図６３Ｅは、本発明の特定の実施形態の制御システムに関するフローチャートである。
【図６３Ｆ】図６３Ｆは、本発明の特定の実施形態の制御システムに関するフローチャートである。
【図６３Ｇ】図６３Ｇは、本発明の特定の実施形態の制御システムに関するフローチャートである。
【図６３Ｈ】図６３Ｈは、本発明の特定の実施形態の制御システムに関するフローチャートである。
【図６３Ｉ】図６３Ｉは、本発明の特定の実施形態の制御システムに関するフローチャートである。
【図６３Ｊ】図６３Ｊは、本発明の特定の実施形態の制御システムに関するフローチャートである。
【図６３Ｋ】図６３Ｋは、本発明の特定の実施形態の制御システムに関するフローチャートである。
【図６３Ｌ】図６３Ｌは、本発明の特定の実施形態の制御システムに関するフローチャートである。
【図６４】図６４は、一方向に一連の溝を切り出す、円筒要素に１以上の溝を切り出すための装置の斜視図である。
【図６５】図６５は、図６４に示す実施形態の拡大斜視図である。
【図６６】図６６は、ツールの配置を示すために円筒管の一部が切断面を有するように示すツールホルダを示す、図６４に示す実施形態の拡大平面図である。
【図６７】図６７は、二方向の一連の溝を切り出す、図６４の装置の斜視図である。
【図６８】図６８は、図６７に示す実施形態の拡大斜視図である。
【図６９】図６９は、ツールの配置を示すために円筒管の一部が切断面を有するように示すツールホルダの拡大平面図である。
【図７０】図７０は、本発明の一実施形態に係る円筒管に切り出された一方向の１対の溝を示す図である。
【図７１】図７１は、図７０の円筒管の拡大端面図である。
【図７２】図７２は、本発明の一実施形態に係る円筒管に切り出された二方向の２対の溝を示す図である。
【図７３】図７３は、図７２の円筒管の拡大端面図である。
【図７４Ａ】図７４Ａは、従来技術のビット又はツールの一実施形態を示す図である。
【図７４Ｂ】図７４Ｂは、本発明の特定の実施形態に係るビット又はツールの一実施形態を示す図である。
【図７４Ｃ】図７４Ｃは、本発明の特定の実施形態に係るビット又はツールの一実施形態を示す図である。
【図７５Ａ】図７５Ａは、２列のツールを組み込んだツールホルダの一実施形態を示す図である。
【図７５Ｂ】図７５Ｂは、２列のツールを組み込んだツールホルダの一実施形態を示す図である。
【図７５Ｃ】図７５Ｃは、２列のツールを組み込んだツールホルダの一実施形態を示す図である。
【発明の詳細な説明】
【００３２】
図１を参照すると、本発明の一実施形態に係るカーテンアセンブリ２０が示されている。カーテンアセンブリ２０は、回転可能な駆動要素２２であって、駆動要素２２の外面２６内に螺旋ガイド構造２４が形成された駆動要素２２と、螺旋ガイド構造２４に連通して駆動要素２２の回転時に駆動要素２２に沿って軸方向に駆動取付要素３６を移動させる対応構造６２を有する駆動取付要素３６と、駆動要素２２を回転させる回転アセンブリ３２（図示せず）と、を備えている。本発明のある実施形態では、螺旋ガイド構造２４は螺旋溝２４であり、対応構造６２は歯である。図１〜図３では螺旋ガイド構造２４を螺旋溝として示しているが、螺旋ガイド構造２４は溝に限定されない。同様に、以下の実施形態で説明する対応構造３６は、歯６２であるが、歯であることに限定されない。ある実施形態では、回転可能な駆動要素２２によって支持された１以上のカーテン支持体６７を、カーテンを支持するために利用することが可能である。図１〜図３に示すように、駆動取付要素３６を以下にさらに説明する。
【００３３】
カーテンの説明
図１に示すように、使用されるカーテン４４は、駆動要素２２にわたって、（窓を覆う）展開位置まで、かつ、（窓３４を覆わない）格納位置まで往復して移動する生地の単一の連続的なパネルから構成される。カーテン４４は、右に（窓３４を覆う）展開位置まで広がり、左に窓３４を覆わない格納位置に集まる。これを図１及び図２に示す。例えば、図１は、右（展開位置）に広げられて窓３４を覆うカーテン４４を示しており、図２は、左（格納位置）に集められて窓３４を露出させるカーテン４４を示している。他の実施形態では、カーテン４４は、左に（窓３４を覆う）展開位置まで広がり、右に（窓３４を覆わない）格納位置に集まってもよい。例えば、図３は、カーテン４４が右（格納位置）に集められて窓３４を露出させるカーテンアセンブリ２０を示している。図示していないが、図３のカーテン４４は、左に展開位置まで広がって窓３４を覆ってもよい。
【００３４】
また、本発明の好適な実施形態を説明するためにカーテンを用いるが、他の実施形態は、垂直のものやひだ付きカーテンなどの他の窓カバーを利用する。
【００３５】
ある実施形態では、カーテン４４は中央閉めカーテン４６であってもよい。中央閉めカーテン４６は、窓３４の中央４２で交わって閉じて窓３４を覆う２つの生地パネル、すなわち、右側パネル５０及び左側パネル４８から構成されている。図４は、中央閉めカーテン４６が使用されて展開位置にあるカーテンアセンブリ２０を示している。窓３４はこの例では覆われている。例えば、右側パネル５０は左に窓４２の中央まで広がる。右側パネル４８は右に窓４２の中央まで広がる。
【００３６】
駆動要素
カーテンアセンブリ２０は駆動要素２２を含む。図５及び図６は、駆動要素２２の一実施形態を詳細に示す。カーテン４４は、以下に説明するように、１以上のカーテン支持体３６及び６７によって駆動要素２２に接続されることが可能である。代替的に、カーテンの少なくとも一部が、支持ガイド（図示せず）などの、回転可能な駆動要素２２に隣接する別の構造によって支持されることが可能である。
【００３７】
回転可能な駆動要素２２は、従来のカーテンレールと同様に、窓３４の上方、又は、窓３４の上部の近くに設置されるように設計される。例えば、図１に示すように、駆動要素２２は、エンドブラケット５４内に配置されて固定される軸５２上に装着される。エンドブラケット５４は、例えば窓フレーム、サッシ又は壁に接続されるように適合される。エンドブラケット５４は、図示しないゴム装着ディスク１３を有してもよく、ゴム装着ディスク１３は、駆動要素２２が設置されるときに、駆動要素２２を所定の位置に確実に保持してノイズを最小限に抑えるために摩擦を生成するためのフィニアル９５又は他の構造内に押し込まれる、又は、好ましくは挿入される。
【００３８】
駆動要素２２は様々なサイズを有してもよい。例えば、駆動要素２２は、窓３４の幅であってもよく、窓３４よりも狭くてもよく、又は、窓３４よりも広くてもよい。駆動要素２２の外径５６も同様に様々なサイズを有してもよい。特定の実施形態では、駆動要素の外径は、１インチ、１と４分の１インチ、１と２分の１インチ、２インチ、１〜２インチ、１〜１と２分の１インチ、１と２分の１インチ〜２インチ、１インチ未満、及び／又は、２インチより大きくてもよい。ある実施形態では、駆動要素２２は、駆動要素２２の外側にモータ８２を装着することに代えて、駆動要素２２の中空部分の内側にモータ８２を装着するようなサイズを有する中空部分を有している。駆動要素２２の内側を使用してモータ８２を隠すことは、カーテンアセンブリ２０に審美的に魅力的なデザインを付与し得る。駆動要素２２がカーテン４４の重量を支え得る場合、アルミニウム、他の金属又は合金、プラスチック、木及びセラミックなどの任意の数の材料を用いて駆動要素２２を製造してもよい。
【００３９】
図５及び図６は、駆動要素２２の外面を円筒形状として示しているが、駆動要素２２の断面形状は限定されず、非円形であってもよい。代替の実施形態では、図２０及び図２１に示すように、回転可能な駆動要素２２は３つの突出部を有する形状であってもよい。
【００４０】
ガイド構造
駆動要素２２は、例えば駆動要素２２の外面２６上に又は外面２６内に形成された少なくとも１つのガイド構造２４を有している。便宜上、１以上の螺旋ガイド構造を採用する好適な実施形態として、螺旋ガイド構造を有する本発明の実施形態の説明が、他のパターンを有するガイド構造を有する実施形態にも適用されることが理解される。好適なガイド構造２４は螺旋ガイド構造２４である。こうしたガイド構造は、図７〜図９に示すように、ある実施形態において溝であってもよい。しかしながら、螺旋ガイド構造２４は螺旋溝に限定されない。例えば、ガイド構造２４は、駆動要素の回転時に駆動要素に沿って駆動取付要素を軸方向に移動させるために駆動取付要素の対応構造に連通することが可能な隆起部、突起部又は他の構造であってもよい。
【００４１】
螺旋溝２４は、駆動要素２２の一部又は全体に沿って延在することができる。好適な実施形態では、螺旋溝は、駆動要素２２の、モータ端５８として参照される一方の遠位端部分から、軸受け端５９として参照される反対側の遠位端部分まで、延びている。代替的に、螺旋ガイド構造２４は、用途に応じて、駆動要素２２の長手方向軸に沿って任意の所望のポイントで始まりかつ途切れてもよく、及び／又は、駆動要素の様々な部分上でストップしてスタートしてもよい。螺旋溝２４の長さは、駆動要素にわたって、すなわち、駆動要素２２のある短いセクションとは対照的に、駆動要素２２の全長にわたってカーテン４４がどの程度まで動くかを決定する要因である。螺旋溝の角度は、駆動要素の所定の回転量だけ駆動要素に沿って駆動取付要素がどの程度まで移動するかを決定する。
【００４２】
一実施形態では、螺旋溝２４は、時計回り方向又は反時計回り方向のいずれかで形成される。図７は、反時計回り螺旋溝３８を有する駆動要素２２を示している。図８は、時計回り螺旋溝４０を有する駆動要素２２を示している。
【００４３】
一実施形態では、駆動要素２２は２つの螺旋溝２４を有しており、１つが時計回り方向に形成され、１つが反時計回り方向に形成される。図９は、反時計回り螺旋溝３８と時計回り螺旋溝４０とがある駆動要素２２を示している。さらに他の実施形態では、図２２〜図２４に示すように、駆動要素２２は４つの螺旋溝を有してもよく、２つが時計回り螺旋溝３８であり、２つが反時計回り螺旋溝４０である。
【００４４】
２つの時計回り螺旋溝３８又は２つの反時計回り螺旋溝４０が利用される場合、２つの時計回り螺旋溝３８又は２つの反時計回り螺旋溝４０は、約１８０度の間隔を空けて配置されることが好ましい。他の間隔が利用されてもよい。時計回り螺旋溝３８及び反時計回り螺旋溝４０は、長手方向軸に対して同じ角度を形成することが好ましい。螺旋溝３８、４０のプロファイルは、時計回り螺旋溝３８及び反時計回り螺旋溝４０の交差を駆動歯６２が動かなくなることなく横断することを可能にするためにセルフセンタリング（ｓｅｌｆ−ｃｅｎｔｅｒｉｎｇ）であり得る。そうしたセルフセンタリングを可能にする傾斜溝を図１７に示している。
【００４５】
螺旋溝２４は、溝２４が駆動要素２２の外面２６から窪むように、駆動要素２２の外面２６内に溝を形成することによって形成されてもよい。代替的に、駆動要素２２の外面２６から突出する又は膨らむ１以上の突出部として螺旋ガイド構造２４が形成されてもよい。突出部は、様々な方法で形成されてもよく、例えば、駆動要素２２の外面２６の周りに材料を巻き付けることによって、駆動要素の外面に刻み目及び／又は突出部を形成するように駆動要素を形成する、例えば、押し出すことによって、又は、長手方向軸回りの駆動要素の回転時に構造２４に対応構造が係合するときに対応の駆動取付要素３６の構造６２に長手方向に力を作用させることが可能な外面を有するように駆動要素を形成することによって、形成されてもよい。
【００４６】
代替の実施形態では、螺旋ガイド構造２４を有するとともに駆動要素２２の一部の周囲に嵌め合わせられるサイズを有するスリーブ又は外側管６３が使用されてもよい。この場合、駆動スリーブは、スリーブの外面上に形成された時計回り又は反時計回り方向の少なくとも１つの螺旋溝２４を有している。スリーブ／外側管は、スリーブ／外側管の回転を引き起こすために回転させられる内側管６１又は他の内側駆動要素９（例えばロッド）に相互に接続され得る。内側駆動要素９は、スリーブの長手方向軸に沿ってカーテンの重量からスリーブが過度に屈曲することを阻止するために十分な剛性を有してよく、その結果、スリーブは、カーテンの重量からスリーブの長手方向軸に沿って過度に屈曲することを阻止するためにスリーブが十分に剛性を有する必要はない。内側駆動要素９及び外側管又はスリーブを備える駆動要素２２は、回転アセンブリからのトルクを、駆動要素２２にわたるカーテン支持体６７又は駆動取付要素３６の軸方向の移動に変換する。一実施形態では、駆動スリーブは、駆動要素２２を形成するために内側駆動要素に固定され、その結果、スリーブは、内側駆動要素を上又は下にスライドさせる必要はなく、また、内側駆動要素９周りで回転する必要はない。内側駆動要素９からスリーブを取り外すこと、また、そのスリーブを別のスリーブに交換することが望まれる場合がある。駆動スリーブを使用することは、その長さを含む螺旋溝２４の形状が、スリーブを取り外して新たな駆動要素２２を製造することなくそのスリーブを交換することによってその長さを容易に変更することができるという利点を有する。
【００４７】
螺旋溝２４は様々な角度を有してもよく、従って、駆動要素２２にわたって動くのにかかる時間（駆動要素の回転）が異なる。例えば、駆動要素の断面を通過する平面に対して大きな角度を有する螺旋溝２４は、構造が動くための短い経路を形成し、駆動要素のある回転速度でカーテン４４をより速く移動させることにつながり得る。ある実施形態では、駆動要素の断面平面に対する螺旋溝２４の角度は、駆動要素２２の長手方向軸６０の方向に駆動要素に沿って変化してもよく、その結果、カーテン４４は、必要であれば、駆動要素の所定の回転速度で駆動要素２２に沿って異なる速度で移動し得る。駆動要素の断面平面に対する螺旋溝２４の角度は、０度より大きく、９０度よりも小さく、好ましくは１０度〜８０度の間であり、より好ましくは２０度〜７０度の間であり、さらにより好ましくは３０度〜６０度の間であり、最も好ましくは４５度である。
【００４８】
本発明の実施形態は、円筒要素に１以上の溝を切り出すための方法及び装置に関する。特定の実施形態では、１以上の溝が円筒要素の外面内に切り出される。円筒要素は、中実であってもよく、又は、１以上の中空部分を有してもよい。特定の実施形態では、円筒要素は中空の管である。実施形態は、円筒要素の外面に切り出された１以上の溝を有する円筒要素にも関連している。さらに特定の実施形態は、ひだ付きカーテン又はカーテンの管として利用されることが可能な１以上の溝を有する円筒要素に関連しており、１以上の溝は、円筒要素の回転と組み合わせて、管を回転させている間にひだ付きカーテン又はカーテンと１以上の溝との間に相互連結要素を係合させることによって、ひだ付きカーテン又はカーテンの開放位置からひだ付きカーテン又はカーテンの閉鎖位置までなどの、管に沿った１以上の位置にひだ付きカーテンを移動させるために使用されることが可能である。
【００４９】
特定の実施形態は、１８０度離れた、円筒シャフト又は管の外面の周囲の、右方向への又は時計回りの、ねじれた２つの溝、及び／又は、１８０度離れた、円筒シャフト又は管の外面の周囲の、左方向への又は反時計回りの、ねじれた２つの溝を機械加工することを包含する。
【００５０】
特定の実施形態の方法及び装置は、１以上の以下の特徴を組み込むことが可能であり、シャフト又はロッドに同時に複数の単一方向（右方向又は左方向）の溝を機械加工すること、リードの長さの２分の１の距離の間隔を空けた２つの単刃工具を使用して２つの溝を機械加工すること、ラフ切削深さを機械加工する単刃工具機械加工及びフィニッシュ切削深さを機械加工するさらなる単刃工具などの、各単刃工具が溝の一部を機械加工する複刃工具を用いて溝を機械加工すること、シャフト又は管に沿って１回の通過で複数の右方向の又は時計回りの溝を機械加工すること、及び、任意選択的に、２以上の単刃工具が各溝に対して使用される際に、ラフ切削深さツール及びフィニッシュ切削深さツールの位置が通過及び反対方向の通過の間で反転される場合に、シャフト又は管に沿った反対方向の単一の通過を使用して、複数の左方向の又は反時計回りの溝を機械加工すること、１０フィートのシャフト又は管に対して２分以内に各方向に２つの溝を機械加工すること、最小設定時間、一方向に複数の溝を又は２方向に複数の溝を機械加工すること、各工具について別個に通過させることに比べて工具の変更を減少させる、一回の通過で２以上の工具を使用して溝を機械加工すること、及び、各溝に関して異なる工具を使用して１回の通過で２以上の溝を機械加工し、その結果、別個の通過で２以上の溝の各々を機械加工することに比べて溝の配列をより正確にすること、を組み込むことが可能である。
【００５１】
回転アセンブリ
駆動要素２２は、駆動要素２２を回転させる回転アセンブリ３３に接続されることが可能であり、駆動要素２２の回転によって、駆動要素２２の螺旋溝２４を介して駆動要素に沿って駆動取付要素３６を移動させる。
【００５２】
回転アセンブリ３３は、駆動要素２２又はモータアセンブリ３２に接続された引きひも７２であってもよい。駆動要素２２を手動で回転させることも可能である。例えば、図１〜図３に示す引きひも７２は、カーテン４４を展開又は格納したいときに、駆動要素２２が手動で回転するように操作されることが可能であるように、駆動要素２２に接続され得る。引きひも７２の使用は従来技術で周知である。
【００５３】
モータアセンブリ３２は、駆動要素２２を回転させるために使用され得る。モータ８２は駆動要素２２の内側又は外側のいずれかに装着され得る。一実施形態では、モータ８２は、駆動要素２２の内側に装着され、平面視からほぼ見えないようにされている。軸５２及び軸受け９４を含むコンポーネントは、回転可能な駆動要素２２の内側に配置されてもよい。
【００５４】
図６に示すように、駆動要素２２の外部の電源から駆動要素２２内のモータ８２に電流を伝達するためにスリップリング２８が使用されてもよい。代替的に、モータ８２に電力を供給するために図５に示すようにバッテリ管８６内のバッテリ８４が使用されてもよい。バッテリ管８６内のバッテリ８４は、バッテリ管にバッテリ８４を装着する又はバッテリ管からバッテリ８４を取り外すことを支援するためにばね装着スリーブであってもよい。ある実施形態では、図６に示すように、モータ駆動アダプタ９２が、駆動要素２２にモータ８２をしっかりと取り付ける又は接続するために使用されてもよい。他の実施形態では、モータシャフトがエンドブラケット５４に保持されてその回転を阻止するとき、モータハウジングが駆動要素２２に対してきつく嵌まって駆動要素２２を回転させる。図５は、エンドキャップ５１、軸５２、軸受け９４、軸受けハウジング５７（軸受けハウジング５７は、図５においてモータの端部上に示されているが、バッテリの端部上には軸受けハウジング５７は図示されていないことに留意されたい）、モータ８２及びバッテリ管８６の相互の接続を示している。図６は、任意のものであるとともに回転中に回路を完成させることを可能にするスリップリング２８を示している。
【００５５】
モータ駆動の操作において、ユーザは、リモコン装置９６上のボタン９８を押して、モータ８２をオンにして、カーテン４４が、ユーザの好みに応じて格納位置と展開位置との間で駆動要素２２にわたって移動するように駆動要素２２を回転させ得る。リモコン装置９６及びボタン９８は図１〜図３に示されている。他の実施形態では、モータ８２は、リモコン装置に対する音声コマンドによって起動されるリモコン装置９６からの信号に応答し、その後、モータ８２に駆動要素２２を回転させるようにする。
【００５６】
カーテンアセンブリ２０は、ユーザがリモコン装置９６上で選択するときに信号を生成する制御基板を有するリモコン装置９６を含んでもよい。制御基板は、送信機から遠隔に配置された受信機と無線で通信することができる送信機を有している。例えば、受信機は、駆動要素２２のモータ８２内に配置されてもよい。受信機は、送信機から送信された信号を受信して、モータ８２にその信号を送信し、モータ１６をオンにして駆動要素２２を回転させてカーテン４４を移動させる。
【００５７】
手動又はモータ８２のいずれかによって駆動要素が回転すると、カーテン４４は、駆動要素２２に係合され、駆動要素２２に沿って軸方向に展開位置又は格納位置に移動する。
【００５８】
カーテン支持体、駆動取付要素及び構造
カーテンアセンブリ２０は、ガイド構造２４に連通する構造６２であって、駆動要素２２の回転時に駆動要素２２に沿って軸方向に駆動取付要素３６を移動させる構造６２を有する駆動取付要素３６を含んでもよい。カーテンアセンブリはまた、駆動要素に相互に接続して、窓カバー、例えばカーテンを支持する１以上のアイドラ取付要素６７を含んでもよい。特定の実施形態では、駆動取付要素３６は、以下に説明するように歯６２である対応特徴部６２を有している。
【００５９】
本発明のカーテンアセンブリ２０は、ある実施形態において、螺旋ガイド構造２４に連通して、駆動要素２２の回転時に駆動要素２２に沿って軸方向に駆動取付要素３６を移動させる特徴部６２を有する少なくとも１つの駆動取付要素３６を含んでもよい。螺旋ガイド構造は螺旋溝２４であってもよく、特徴部６２は歯であってもよい。図１を参照すると、モータ端などのカーテンの一端６４が固定され、カーテンの軸受け端などの隣接する反対端６６が駆動取付要素３６に取り付けられ得る。歯としての特徴部６２を図１０〜図１２に示す。図１０は駆動取付要素３６の拡大斜視図である。図１１は、一実施形態に係る駆動歯６２を示す駆動取付要素３６の拡大側面図である。図１２は、駆動歯６７の角度α（約３０度）を示す駆動取付要素３６の拡大断面図である。この角度αは、螺旋溝が駆動要素の断面平面に対してなす角度と同一である。
【００６０】
図１０〜図１２に示すように、駆動取付要素３６は、リング形状であってもよく、また、駆動要素２２上でスライドする。しかしながら、駆動取付要素３６に関して他の構造が使用されてもよい。一例として、駆動取付要素は、対応の１以上の追加の溝を辿り得る１以上の追加の構造６２を有してもよく、及び／又は、１以上の構造６２は、当該構造が駆動要素上に装着されるときに駆動要素の長手方向軸に対して異なる回転位置に配置されることが可能である。駆動取付要素３６は、従来のカーテンフック３７が駆動取付要素３６にカーテンの端部を接続するために使用されることが可能であるスロット９９を備えることが好ましい。カーテンを吊り下げるための従来周知のカーテンピン及びカーテンリングが使用されてもよい。
【００６１】
構造６２は、駆動要素の螺旋溝２４に連通又は係合して駆動要素に沿って軸方向に駆動取付要素３６を移動させることによってカーテンを移動させるように設計されている。一実施形態では、特徴部は、駆動取付要素の本体の内面上に、ある角度で形成された歯である。駆動歯６２の角度αは、駆動要素２２上の螺旋溝に係合するように特に設計されている。一実施形態では、設計検討は、回転する駆動要素２２と駆動取付要素３６との間の接触量を最大にしてカーテンの重量を移動させるためになされる。本発明のある実施形態では、駆動取付要素３６に対する歯６２の配置は、駆動取付要素が駆動要素に相互に接続されるときに駆動要素に対して歯の配置がなす角度を調節可能であるように調節可能である。この調節機能は、歯が位置決めされる位置、及び、螺旋溝が駆動要素の特定の角度位置に関して配置される位置が駆動取付要素の軸方向位置を決定し、及び従って、駆動取付要素に取り付けられたカーテンの先端の軸方向位置を決定する場合、カーテンアセンブリのユーザが、駆動要素の特定の回転位置に関して駆動要素に沿った軸方向位置に関連付けられた駆動取付要素３６の正確な配置を設定すること可能にする。このようにして、カーテンの遠位端が、駆動要素の回転の特定の度数（例えば７２０°又は３６００°）で駆動要素の遠位端に到達することが望まれる場合、駆動取付要素に対する歯の相対的な回転位置を調節可能である。
【００６２】
ある実施形態では、駆動取付要素３６は、図１３〜図１６に示すように、第１駆動歯８８及び第２駆動歯９０を有している。第１駆動歯８８及び第２駆動歯９０の両方が、駆動要素２２の異なる螺旋溝２４に連通するように構成されている。第１駆動歯８８及び第２駆動歯９０は、駆動取付要素３６の内側で駆動取付要素３６の上部及び底部にそれぞれ位置決めされる。図１５及び図１６は、第１駆動歯の角度α１と第２駆動歯の角度α２とを示す、駆動取付要素３６の上部及び底部の断面図である。角度α１、α２は両方とも４５度である。第１駆動歯８８及び第２駆動歯９０の角度α１、α２は、４５度に限定されず、駆動要素２２の対応の螺旋溝２４に連通するように構成される。好適な実施形態では、図２２〜図２６に示すように、４つの螺旋溝２６がある。２つが時計回り螺旋３８であり、２つが反時計回り４０である。
【００６３】
中央閉めカーテン上のこのタイプの螺旋パターンの１つの課題は、駆動要素が駆動されるとき（閉じ位置まで回転させられるとき）に２つのカーテンが開口部の中央で常に交わるように取付要素と螺旋溝とのタイミングを維持することである。この課題は、より小さな窓に適合させるために管の長さを短縮することができることによってさらに複雑化する。４つの螺旋状の駆動要素（２つは反時計回りの螺旋及び２つが反時計回りの螺旋）が、螺旋の２分の１の間隔の倍数ではない長さに短縮される場合、右側カーテン及び左側カーテン（二重カーテンアセンブリ）の駆動取付要素は、駆動要素の中間で交わらないことがある。図２６を参照されたい。調節可能な駆動取付要素は、駆動取付要素が駆動要素に沿って異なる軸方向位置から開始して、中央の所望の軸方向位置又は他の所望の軸方向位置で終了するように、駆動取付要素の内側に歯を再び位置決めすることを可能にすることができる。駆動取付要素に対する歯の位置のこの調節は、駆動要素の半端な長さによって、例えば端部を切断することから生じるオフセットを修正することができ、また、右側カーテンの駆動取付要素と左側カーテンの駆動取付要素とが中央で交わることを可能にする。
【００６４】
特定の実施形態において、調節可能な駆動取付要素の「クリッカー（Ｃｌｉｃｋｅｒ）」部品と「ギアリング（Ｇｅａｒ  Ｒｉｎｇ）」部品との間のギア歯は、管上にあるときに「クリッカー」の回転を許容しない。この場合、駆動要素から駆動取付要素を取り外すことによって、ギアリングからクリッカーを取り外すことによってユーザが手動で「クリッカー」を調節することを可能にする。クリッカーのギア歯上の駆動要素の外向きの力によって、ギアリング内にクリッカーが基本的にロックされる。特定の実施形態は、いずれの方向にも約１インチにわたって歯を再配置することを可能にする。２分の１の間隔の長さが２インチである駆動要素に関して、調節可能な駆動取付要素を設置する前に管を１８０度回転させることによって、２分の１の間隔の長さだけ開始位置を変化させ、そのことが、調節可能な駆動取付要素の開始位置を許容可能な度数に修正する。上の実施形態で説明した構造６２は歯であるが、構造６２に関する他の実施形態が同様に使用されてもよい。
【００６５】
単純取付要素
カーテンアセンブリ２０は、駆動要素２２に沿ったスライド移動のための駆動要素２２に接続された複数のアイドル取付要素６７をさらに備えてもよい。駆動取付要素３６に接続されていないカーテン３４の残りの取付点６８は、１以上のアイドル取付要素６７を使用して駆動要素２２から吊り下げられることが可能である。
【００６６】
図１を参照すると、カーテンは、１つの固定端６４と、駆動取付要素３６に接続された隣接する反対端６６と、を有している。カーテン６８の残りの端部（又は取付点）は、固定端６４と、駆動取付要素３６に接続された隣接する反対端６６との間に位置決めされている。これらの残りの取付点６８は、複数のアイドル取付要素６７を使用して駆動要素２２から吊り下げられ得る。アイドラ取付要素６７は、図１〜図４に示すように、回転可能な駆動要素２２に相互に接続される。アイドラ取付要素６７のこうした相互接続は、アイドラ取付要素が駆動要素の断面の外周の一部又は全部を囲んで駆動要素上に自由に掛かるようにされ得る。他の実施形態では、アイドラ取付要素はまた、駆動要素の外部の構造に相互に接続されることが可能である。
【００６７】
アイドラ取付要素６７は、駆動取付要素３６と同様の形状であってもよい。ある実施形態では、アイドラ取付要素６７は、カーテンが移動する際に駆動要素２２に沿って自由に移動することができるようにする滑らかな孔を有してもよい。他の実施形態では、アイドラ取付要素６７は、駆動要素にわたってカーテンの移動を支援するための歯を有してもよい。歯を有する実施形態では、駆動要素は、単純取付要素が、１つの軸方向に進む駆動要素の端部などの駆動要素のある軸領域に到達し、アイドラ取付要素が同一の軸方向から他の軸方向に引かれる際に歯に再係合するときに、歯を自由にする領域を有することができる。
【００６８】
図１〜図４に示すように、アイドラ取付要素６７は、駆動要素２２上をスライドするリングであってもよい。アイドラ取付要素６７は、図４〜図６に示すように、カーテン４４の残りの取付点６８をアイドラ取付要素６７に取り付けるために従来のカーテンフック（又はループ）３７が使用されるスロット又は孔（図示せず）を備えてもよい。カーテンを吊り下げるために従来技術で周知のカーテンピン及びカーテンリングが使用されてもよい。
【００６９】
引きロッド及びプログラミング
ある実施形態では、駆動取付要素３６は、単一の歯６２を有しており、駆動要素２２上にゆるく嵌め合わせられる。この場合、カーテンアセンブリ２０は、駆動取付要素３６に接続された引きロッド７０を含んでもよく、駆動歯６２は、引きロッド７０に力を加えることによって駆動要素２２のガイド構造２４との係合から解除される。引きロッド７０は、ユーザがガイド構造２４への駆動取付要素３６の係合を手動で解除ことを可能にするように構成された細長いロッド又は任意の他の機構であってもよい。引きロッドは、駆動要素に沿って駆動取付要素を軸方向に移動させるために使用することが可能である。
【００７０】
カーテンアセンブリ２０のためのモータ８２は、駆動要素２２にわたって軸方向にカーテンを移動させるために駆動要素２２の予め設定された回転数（整数又は分数）を工場からプログラミングされてもよい。しかしながら、この予め設定された回転数を変更してもよい様々な理由がある。例えば、駆動要素２２は、より狭い窓３４に適合するために短く（例えば切断）されてもよく、又は、引きロッド７０によってカーテンを手動で移動させて、引きひも７２によってカーテンを移動させなかった。
【００７１】
従って、一実施形態では、モータ８２の初期設定は、駆動要素２２がカーテン４４を完全に開ける及び完全に閉める回転数を計数することができる。この設定は、設定ルーティンによって実現されてもよく、リモコン装置９６上のプログラムボタンが一度押されて、カーテン４４を移動させるモータ８２を始動させ、その後、移動を停止させるため又は移動が停止した後にボタンを二度目に押すことによって、カーテン４４が移動した回転数を記憶する。
【００７２】
特定の実施形態では、回転数は、プログラムボタンを三度目に押すことによって確定することが可能であり、そのことによって、モータ８２を逆回転させて反対方向にカーテン４４を移動させる。カーテン４４を停止させるため又は移動が停止した後にプログラムボタンを四度目に押すと、計数した総数が比較され、メモリ内に新たな計数を設定し設定ルーティンを完了する。リモコン装置９６上のプログラムボタンが２度目に押されない場合、モータ８２は、予め設定した総数に到達するまで回転し、その後に停止させられる。代替的に、アセンブリは、ある種の最大軸方向距離検出器若しくは力検出器又はクラッチを実装することができ、その結果、駆動取付要素を移動させようとする閾値の力に直面したときに、モータが駆動要素をそれぞれ停止させる又は回転を停止させる。
【００７３】
カーテンを手動で移動させた後にカーテンを自動的に移動させることが望まれる場合、ユーザは、リモコン装置９６上のプログラムボタンを二度目に押して、カーテンを２回循環させることができる。このことは、最初に駆動要素の一方の遠位端までカーテンを移動させた後に、駆動セクションの反対側の遠位端までカーテン４４を移動させることによって、すなわち、２周期移動させるカーテンの移動数を再同期させる。
【００７４】
図１に示すように、カーテン４４が、その完全な展開位置に向かって移動させられるとき、駆動取付要素３６は、駆動要素２２が設定された回転数だけ回転して完全な展開位置で停止するまで駆動取付要素の特徴部に作用する、駆動要素２２上の螺旋溝２４の回転によって駆動される。
【００７５】
中央閉め実施形態
図４を参照すると、カーテンアセンブリ２０の特定の実施形態が示されており、使用されているカーテン４４は中央閉めカーテン４６である。上述したように、中央閉めカーテン４６は、窓４２の中央で交わって窓３４を閉じて覆う２つの生地パネル、右側パネル５０及び左側パネル４８から構成されている。
【００７６】
図４では、中央閉めカーテン４６は展開位置にあり、窓３４は覆われている。駆動要素２２は、駆動要素２２の外面２６に形成された時計回り螺旋溝３８及び反時計回り螺旋溝４０を有している。時計回り螺旋溝３８及び反時計回り螺旋溝４０は、同一の角度を有しており、互いに対向して、駆動要素２２の回転時に中央閉めカーテン４６の正確な移動を形成する。
【００７７】
中央閉めカーテン４６に適合するため、カーテンアセンブリ２０は、図４に示すように、左側駆動取付要素７４及び右側駆動取付要素７６を有している。左側駆動取付要素７４は、左側パネル４８の隣接する反対端６６に接続され、右側駆動取付要素７６は、右側パネル５０の隣接する反対端６６に接続されている。言い替えれば、左側パネル４８は、固定端６４と、左側駆動取付要素７４に接続された隣接する反対端６６と、を有している。右側パネル５０は、固定端６４と、右側駆動取付要素７６に接続された隣接する反対端６６と、を有している。また、左側駆動取付要素７４及び右側駆動取付要素７６にそれぞれ取り付けられた左側引きロッド７８及び右側引きロッド８０があってもよい。
【００７８】
駆動要素の第１回転方向の回転時に左側パネル４８及び右側パネル５０の両方が閉まるように、かつ、駆動要素の反対方向の回転時に左側パネル４８及び右側パネル５０の両方が開くように、右側駆動取付要素７６の歯６２は反時計回り螺旋溝４０を辿ることができ、左側駆動取付要素７４の歯６２は時計回り螺旋溝３８を辿ることができる。特定の実施形態では、駆動要素は、閉まった左側パネル４８が吊り下がる駆動要素の左側端上に１以上の時計回り螺旋溝２４のみを有しており、駆動要素は、閉まった右側パネル５０が吊り下がる駆動要素の右側端上に１以上の反時計回り螺旋溝のみを有している。
【００７９】
二重カーテン
図２７〜図３０を参照すると、二重カーテンアセンブリ１が提供される。二重カーテンアセンブリ１は、回転可能な駆動要素２２であって、少なくとも１つの螺旋構造２４が当該駆動要素２２の外面２６に形成された回転可能な駆動要素２２と、螺旋構造２４に連通して、駆動要素２２の回転時に駆動要素２２に沿って軸方向にカーテン支持体を移動させる対応構造を有するカーテン駆動要素３６Ａ及び３６Ｂと、駆動要素２２を回転させる回転アセンブリ３３と、を備えている。
【００８０】
本発明のある実施形態では、螺旋構造２４は螺旋溝であり、対応構造は歯である。螺旋構造２４が図２７〜図３０に螺旋溝として示されているが、螺旋構造は溝に限定されない。同様に、ある実施形態において以下に説明する対応構造は、歯であるが、歯に限定されない。ある実施形態では、図２７〜図３０に示して以下に説明するように、カーテン支持体は、外側カーテン駆動取付要素３６Ａと、内側カーテン駆動要素３６Ｂと、を含む。
【００８１】
カーテンアセンブリ１は、外側カーテン４４Ａ及び内側カーテン４４Ｂをさらに備えてもよく、外側カーテン４４Ａは、回転可能な駆動要素２２から吊り下げられる一方で、内側カーテン４４Ｂは、支持ガイド１１に沿って移動するキャリアトラック１２及び８１のフック１７から吊り下げられている。回転可能な駆動要素２２は、対向する遠位端部分３５、３６を有する少なくとも１つの駆動要素２２を備えており、モータを有する遠位端はモータ端５８として参照され、他方の遠位端は軸受け端５９として参照され、少なくとも１つの螺旋溝２４が、駆動要素２２の外面２６上に時計回り方向又は反時計回り方向のいずれかで形成されており、駆動要素２２の一方の遠位端部分３５、３６から駆動要素２２の反対側の遠位端部分３５、３６まで延びている。
【００８２】
駆動要素２２の回転時、外側カーテン４４Ａ又は内側カーテン４４Ｂのいずれか一方が駆動要素２２に沿って移動する一方で、他方のカーテンが非駆動領域又はストール領域で所定の位置に保持されている。移動する駆動取付要素３６Ａ又は３６Ｂが駆動要素２２の端部のストール領域に到達すると、移動していない駆動取付要素は螺旋溝２４に係合するように強く引っ張られる。駆動要素２２の螺旋溝２４に沿った外側カーテン４４Ａ及び内側カーテン４４Ｂのこの移動は以下にさらに詳細に説明する。外側カーテン４４Ａが移動する又は内側カーテン４４Ｂが移動するかどうかは、カーテンの移動のシーケンスによって決定される。外側カーテン４４Ａ又は内側カーテン４４Ｂのいずれかを選択するシステムを以下に説明する。
【００８３】
図２７に示すように、外側カーテン４４Ａ及び内側カーテン４４Ｂは、駆動要素２２にわたって（窓３４を覆う）展開位置まで及び（窓３４を覆わない）格納位置まで往復して移動する単一の連続的な生地のパネルから構成されてもよい。一実施形態では、カーテン４４Ａ及び４４Ｂに使用される生地のタイプに制限はないものの、外側カーテン４４Ａは暗幕カーテンであり、内側カーテン４４Ｂはシアーカーテンである。同一の窓３４を覆うためにシアーカーテンとともに暗幕カーテンを使用することは、ある程度の光が欲しいときにシアーカーテンを使用して、光を望まないときに暗幕カーテンを使用することを可能にする。例えば、ある程度の光が望まれてプライバシーが必要である場合、暗幕カーテンが格納されてシアーカーテンが展開される。光が欲しくてプライバシーが必要ない場合、暗幕カーテンは格納されてシアーカーテンも格納される。本明細書に開示された二重カーテンアセンブリ１は、図２７〜図３０に示すように、外側カーテン４４Ａ（暗幕カーテン）及び内側カーテン４４Ｂ（シアーカーテン）の位置のこれらの組み合わせを可能にする。
【００８４】
図２７は、外側カーテン４４Ａが、格納位置にある暗幕カーテンであり、内側カーテン４４Ｂが、展開位置にあるシアーカーテンである場合のカーテンアセンブリ１を図示している。従って、図２７において、窓３４は、外側カーテン４４Ａすなわち暗幕カーテン及び内側カーテン４４Ｂによって覆われている。図２８は、外側カーテン４４Ａが、格納位置にある暗幕カーテンであり、内側カーテン４４Ｂが、展開位置にあるシアーカーテンである場合のカーテンアセンブリ１を図示している。窓３４はシアーカーテンによって覆われ、暗幕カーテンはこの例では格納されている。図２９は、外側カーテン４４Ａが、格納位置にある暗幕カーテンであり、内側カーテン４４Ｂが、格納位置にあるシアーカーテンである場合のカーテンアセンブリ１を図示している。窓３４はこの例では覆われていない状態である。
【００８５】
図３０は、外側カーテン４４Ａが、展開位置にある暗幕カーテンであり、内側カーテン４４Ｂが、展開位置にあるシアーカーテンである場合の好適な実施形態のカーテンアセンブリ１を図示している。従って、図２７では、窓３４は、外側カーテン４４Ａすなわち暗幕カーテン及び内側カーテン４４Ｂによって覆われている。さらに、外側カーテンは、エンドブラケット５４に取り付けられた固定端と、遠位端上で他方のエンドブラケット５４の周囲に巻き付けられた可動端と、を有している。外部電源４３の位置を示すための切断領域もある。
【００８６】
駆動要素及び駆動セクション
ここで、回転可能な駆動要素２２及び駆動要素２２を以下に詳細に説明する。カーテンアセンブリ１は回転可能な駆動要素２２を含む。図３１及び図３２は、回転可能な駆動要素２２とそのコンポーネントとを詳細に示している。外側カーテン４４Ａ及び内側カーテン４４Ｂは、以下に説明するように、外側カーテン駆動取付要素３６Ａ又は内側カーテン駆動取付要素３６Ｂ又は様々な取付要素及び吊り下げ要素によって回転可能な駆動要素２２に接続されている。駆動要素２２を回転させる回転アセンブリ３３は、駆動要素２２にわたって別個にカーテン４４Ａ及び４４Ｂに接続されたこれらの取付駆動要素を移動させる。
【００８７】
回転可能な駆動要素２２は、従来のカーテンレールと同様に窓３４の上方に設置されるように設計されている。例えば、図２７に示すように、駆動要素２２は、エンドブラケット５４に配置されて固定される軸５２に装着される。エンドブラケット５４は、窓フレーム、サッシ又は壁に接続されるように適合されている。エンドブラケット５４はまた、駆動要素２２を所定の位置にしっかりと保持してノイズを最小限に抑えるように駆動要素２２が設置されるときに圧縮されたゴム装着ディスク１３を含んでもよい。
【００８８】
駆動要素２２は、駆動要素２２を回転させる回転アセンブリ３３に接続され、駆動要素２２の回転は、外側カーテン駆動取付要素３６Ａ及び内側カーテン駆動取付要素３６Ｂを別個に駆動要素２２の螺旋溝２４にわたって移動させる。回転アセンブリ３３は、駆動要素２２又はモータ８２に接続された引きひも７２であってもよい。駆動要素２２は手動で回転させられてもよい。例えば、図２７〜図２９に示すような引きひも７２は、カーテン４４Ａ又は４４Ｂを展開又は格納することが望まれるときに駆動要素２２が手動で回転させられるように操作され得るように駆動要素２２に接続されてもよい。引きひも７２の使用は従来技術で周知である。
【００８９】
駆動要素２２はまた、駆動要素２２を回転させるために使用され得るモータ８２に接続されてもよい。モータ８２は、駆動要素２２の内側又は外側のいずれかに装着されてもよい。一実施形態では、モータ８２は、駆動要素２２の内側に装着されており、平面視からほぼ見えないようにされている。軸５２及び軸受け９４を含むコンポーネントは回転可能な駆動要素２２の内側に配置されている。図３２に示すように、駆動要素２２の外部の電源４３から駆動要素２２内のモータ８２に電流を伝達するためにスリップリング２８が使用されてもよい。代替的に、図３１に示すように、モータ８２に電力を供給するためにバッテリ管８６内のバッテリ８４が使用されてもよい。バッテリ管８６内のバッテリ８４は、バッテリ管８６にバッテリ８４を装着する又はバッテリ管８６からバッテリ８４を取り外すことを支援するためにばね装着スリーブ内にあってもよい。ある実施形態では、図５９に示すようなモータ駆動アダプタ２７が、モータ８２を駆動要素２２にしっかりと取り付ける又は接続するために使用されてもよい。他の実施形態では、モータハウジング５３は、モータ出力シャフト８７がエンドブラケット５４内に保持されてその回転を阻止するときに駆動要素２２に対してきつく嵌め合わされて駆動要素２２を回転させる。
【００９０】
モータ駆動の操作では、ユーザは、リモコン装置９６のボタン９８を押してモータ１６をオンにし、ユーザの好みに応じて格納位置と展開位置との間で駆動要素２２にわたってシーケンスを選択されたカーテン４４Ａ又は４４Ｂが移動するように駆動要素２２を回転させ得る。リモコン装置９６及びボタン９８は図２７〜図２９に示されている。他の実施形態では、リモコン装置が、音声コマンドに応答して、モータ制御部に信号を送信し、モータ８２が駆動要素２２を回転させるようにしてもよい。
【００９１】
カーテンアセンブリ１はまた、ユーザがリモコン装置９６上で選択するときに信号を生成する制御基板を有するリモコン装置９６を含んでもよい。制御基板は、送信機から遠隔に配置された受信機と無線で通信することができる送信機を有している。例えば、受信機は駆動要素２２内に配置されてもよい。受信機は、送信機から送信された信号を受信し、受信した信号をモータ８２に送信し、モータ８２をオンにして駆動要素２２を回転させ、カーテン４４Ａ又は４４Ｂの一方を移動させる。
【００９２】
駆動要素２２は、手動又はモータ８２のいずれかによって回転すると、外側カーテン駆動取付要素３６Ａ又は内側カーテン駆動取付要素３６Ｂが、駆動要素２２上に係合されて、展開位置又は格納位置のいずれかまで駆動要素２２にわたって移動する一方で、他方のカーテン４４Ａ又は４４Ｂは所定の位置に留まったままである。移動するカーテン４４Ａ又は４４Ｂが駆動要素２２の端部に到達するとき、静止したカーテン４４Ａ又は４４Ｂは螺旋溝２４との係合のために引っ張られて新たな位置まで駆動要素２２にわたって移動する。
【００９３】
回転可能な駆動要素２２は、図３１、図３２、図３４及び図５９に示すような円筒の形状であることが好ましく、これらの図は、内側駆動要素９として参照される内側管と、外側管すなわちスリーブ６３と、を有する駆動要素２２を示している。しかしながら、駆動要素２２の内側駆動要素９及び外側管又はスリーブ６３の形状は、限定されず、かつ、非円形であってもよい。代替の実施形態では、図６０に示すように、回転可能な駆動要素２２は３つの突起部を有してもよい。この場合、駆動要素は、ボール軸受けを搭載可能な折り目（ｃｒｅａｓｅ）を有する螺旋管である。
【００９４】
駆動要素２２は様々なサイズを有してもよい。例えば、駆動要素２２は、窓３４の幅であってもよく、又は、窓３４よりも広くてもよい。室内に必要とされる空間を除いて、駆動要素２２の直径は限定されない。駆動要素２２は、駆動要素２２の外側にモータ８２を装着することに代えて、駆動要素２２の内側にモータ８２を装着するように構成されることが好ましい。駆動要素２２の内側を使用してモータ８２を隠すことは、カーテンアセンブリ１又は２０に審美的に魅力的なデザインを付与し得る。駆動要素２２がカーテン４４Ａ又は４４Ｂの重量を支え得る場合、任意の数の材料を用いて駆動要素２２を製造してもよい。
【００９５】
駆動要素２２は、駆動要素２２の長さの少なくとも１以上の部分上に螺旋溝などのガイド構造２４を備えている。駆動要素２２は、対向する遠位端部分３５、５９を有してもよく、駆動要素２２の長手方向軸６０に沿って任意の長さであってもよい。駆動要素２２の長手方向軸６０は図２７〜図３０に示されている。駆動要素２２に沿ったガイド構造の長さは、駆動要素２２のある短いセクションとは対照的に、カーテン４４Ａ又は４４Ｂが、駆動要素２２にわたって、すなわち、駆動要素２２の全長にわたってどの程度動くかを決定する要因である。
【００９６】
一実施形態では、駆動要素２２は、駆動要素２２の外面２６上で時計回り方向又は反時計回り方向のいずれかで形成されて、駆動要素２２の一方の遠位端部分３５、５９から駆動要素２２の反対側の遠位端部分３５、５９まで延びる少なくとも１つの螺旋溝２４を有している。図４９は、螺旋溝２４が時計回り方向にある左側の駆動要素２２を図示しており、また、螺旋溝２４が反時計回り方向にある右側の駆動要素２２を図示している。
【００９７】
ある実施形態では、駆動要素２２は２つの螺旋溝２４を有してもよく、図５９に示すように、１つが時計回り方向に形成されて、１つが反時計回り方向に形成される。両方向に螺旋溝２４を有する駆動要素２２を有する駆動要素２２は、以下に説明するような中央閉めカーテン４６に特に有用である。
【００９８】
好適な実施形態では、駆動要素２２は、同一方向に２つの螺旋溝２４を有してもよく、内側駆動取付要素３６Ｂが、１８０度の間隔を空けて配置された２つの歯５ａ及び５ｂを有しており、外側駆動取付要素３６Ａが、１８０度の間隔を空けて配置された２つの歯４ａ及び４ｂを有しており、その結果、歯４ａ及び歯５ａが螺旋溝の一方に係合し、同時に、歯４ｂ及び歯５ｂが他方の螺旋溝に係合し、駆動する駆動取付要素３６Ａ及び３６Ｂに対してそれぞれ安定性を付与する。
【００９９】
他の実施形態では、図５９に示すように、駆動要素は４つの螺旋溝２４を有することが好ましく、２つが時計回り螺旋溝２４で、２つが反時計回り螺旋溝２４である。図５９には、２つの時計回り螺旋溝及び２つの反時計回り螺旋溝の４つの螺旋溝２４を有する回転可能な駆動要素の断面図が示されている。螺旋溝は、約１８０度の間隔を空けて配置されることが好ましい。時計回り螺旋溝２４及び反時計回り螺旋溝２４は、互いに対向しており、１８０度の間隔を空けて配置されている。螺旋溝２４の輪郭は、セルフセンタリングであり、第１外側歯４ａ及び第１内側歯５ａが、動かなくなることなく時計回り螺旋溝及び反時計回り螺旋溝の交点を横切ることを可能にする。
【０１００】
螺旋溝２４は、図２７〜図３０に示すように、駆動要素２２の駆動要素２２を通る経路を形成する。駆動要素２２が回転すると、カーテン４４Ａ又は４４Ｂの一方が、螺旋溝２４に沿って駆動要素２２にわたって展開位置又は格納位置まで引っ張られる。時計回り螺旋溝２４及び反時計回り螺旋溝２４の両方は、駆動要素２２が回転してカーテン駆動要素３６Ａ又は３６Ｂが螺旋溝２４に係合されるときに駆動要素２２にわたって軸方向にカーテン４４Ａ又は４４Ｂを移動させる。
【０１０１】
螺旋溝２４は、溝が駆動要素２２の外面２６から窪むように駆動要素２２の外面２６に溝を形成することによって形成されてもよい。代替的に、螺旋溝２４は、駆動要素２２の外面２６から突出する又は膨らむ突出部として形成されてもよい。突出部は、例えば、駆動要素２２の外面２６の周囲に材料を巻き付けることによる任意の手段で形成されてもよい。
【０１０２】
螺旋溝２４の角度は変更されてもよく、及び従って、駆動要素２２にわたって動くのにかかる時間が異なる。例えば、大きな角度を有する螺旋溝２４は、カーテン４４Ａ、４４Ｂが動くための短い経路を形成し、その結果、駆動要素の所定の回転速度に対してカーテン４４Ａ又は４４Ｂはより速く移動する。ある実施形態では、必要であれば、駆動要素の所定の回転速度に対して、駆動要素２２に沿って異なる速度でカーテン４４Ａ、４４Ｂが移動するように、螺旋溝２４の角度は駆動要素２２に沿って変更されてもよい。螺旋溝２４の角度は、３０度〜６０度の間で変更されることが好ましく、また、最も好ましくは４５度である。
【０１０３】
代替の実施形態では、駆動要素２２は、例えば内側管６１であり得る、内側駆動要素９の一部の周囲に嵌まるサイズを有する駆動スリーブ又は外側管６３から形成されてもよい。この場合、駆動スリーブは、スリーブの外面に時計回り方向又は反時計回り方向に形成された少なくとも１つの螺旋溝２４を有している。駆動要素２２は、回転アセンブリからのトルクを、駆動要素２２にわたってカーテン支持体又は取付要素３６Ａ、３６Ｂの軸方向移動に変換することができなければならず、また、駆動スリーブは、高い潤滑材料から形成され得る。従って、スリーブが、駆動要素２２を上又は下にスライドしないように又は内側駆動要素９の周囲で回転しないように、駆動スリーブが内側駆動要素９に固定されることが可能である。内側駆動スリーブ９からスリーブを取り外すこと、及び、スリーブを別のスリーブに交換することが必要な場合があり得る。駆動要素２２を形成するためにスリーブを使用することは、スリーブを取り外すことによって、また、新たな駆動要素２２を製造することなくスリーブを交換することによって、螺旋溝２４又は駆動要素２２の長さを容易に変更することができるという利点を有している。
【０１０４】
取付要素及び歯
ある実施形態では、カーテンアセンブリ１は、駆動要素２２に接続された少なくとも１つの外側カーテン駆動取付要素３６Ａであって、螺旋溝２４に接続して駆動要素２２の回転時に駆動要素２２に沿って軸方向に外側カーテン駆動取付要素を移動させる駆動歯４ａ及び４ｂを有する少なくとも１つの外側カーテン駆動取付要素３６Ａを含んでもよい。外側カーテン駆動取付要素３６Ａは外側カーテン４４Ａの一端に接続されている。カーテンアセンブリ１は、駆動要素２２に接続された少なくとも１つの内側カーテン駆動取付要素３６Ｂであって、螺旋溝２４に接続して駆動要素２２の回転時に駆動要素２２に沿って軸方向に内側カーテン駆動取付要素を移動させる駆動歯５ａ及び５ｂを有する少なくとも１つの内側カーテン駆動取付要素３６Ｂを含んでもよい。内側カーテン駆動取付要素３６Ｂは内側カーテン４４Ｂの一端に接続されている。
【０１０５】
図４５〜図４７は、外側カーテン駆動取付要素３６Ａ並びに駆動歯５ａ及び５ｂの正面図及び断面図を示している。第１外側駆動歯５ａ及び第２外側駆動歯５ｂの両方が駆動要素２２の螺旋溝２４に連通するように構成されている。第１外側駆動歯５ａ及び第２外側駆動歯５ｂは、一方の駆動歯の角度αを示す外側駆動取付要素３６Ａの内側に配置されており、両方の角度は４５度である。
【０１０６】
図３９〜図４１は、内側駆動取付要素並びに駆動歯４ａ及び４ｂの一実施形態の正面図及び断面図を示している。内側駆動歯４ａ及び内側駆動歯４ｂの両方が、駆動要素２２の螺旋溝２４に連通するように構成されている。内側駆動歯４ａ及び内側駆動歯４ｂは、一方の駆動歯の角度αを示す外側駆動取付要素の内側に配置されており、両方の角度は４５度である。この実施形態では、内側カーテンキャリアトラック８１内でキャリアに相互接続されるように設計された内側駆動取付要素の一部に、内側キャリア取付ポスト３１が配置されている。
【０１０７】
図３６〜図３８は、代替の内側駆動取付要素３６Ｂ並びに駆動歯４ａ及び４ｂの正面図及び断面図を示している。内側駆動歯４ａ及び内側駆動歯４ｂは、駆動要素２２の螺旋溝２４に連通するように構成されている。内側駆動歯４ａ及び内側駆動歯４ｂは、一方の駆動歯の角度αを示す外側駆動取付要素の内側に配置されており、両方の角度は４５度である。この実施形態では、外側カーテンキャリアトラック１２内でキャリアに相互接続されるように設計された図４５〜図４７の外側キャリア取付ポスト６と同一ものであり、内側カーテンの取付点は、フックを介してフック９９のレシーバに取り付けることができる。
【０１０８】
様々な図面に示すように、外側カーテンの外側カーテン駆動取付要素３６Ａ及び内側カーテン駆動要素３６Ｂは、リング形状であり、駆動要素２２上でスライドする。外側カーテンの外側カーテン駆動取付要素３６Ａ及び内側カーテン駆動取付要素３６Ｂには異なる構造が使用されてもよいが、それらは、外側カーテン４４Ａ及び内側カーテン４４Ｂの適切な端部に接続し、螺旋溝２４に係合し、駆動要素２２にわたって移動することができる。
【０１０９】
外側カーテンの外側カーテン駆動取付要素３６Ａは、外側カーテン４４Ａの端部及び上縁を適切な取付要素に接続するために従来のカーテンフック又はピンが使用可能なスロット又は孔９９を備えることが好ましい。図３４は、外側カーテンアイドラ取付要素６７Ａ上の孔９９及びピンフック１４の一例を図示している。別の実施形態では、図６０に示すように、従来のカーテンリングが使用される。内側カーテン４４Ｂは、支持ガイド１１内の内側カーテンキャリアトラック８１内にＳ字フック１７によって吊り下げられている。カーテンピン、フック及びリングは、カーテン４４Ａ、４４Ｂを吊り下げるために従来技術で周知である。
【０１１０】
外側駆動取付要素３６Ａ上の駆動歯５ａ及び内側駆動取付要素３６Ｂ上の駆動歯４ａは同一の構造を有してもよい。外側駆動歯５ａ及び内側駆動歯４ａは両方とも、駆動要素２２の螺旋溝２４に係合して駆動要素２２にわたってカーテン４４Ａ又は４４Ｂを駆動するように設計されている。一実施形態では、駆動歯５ａは、外側カーテン駆動取付要素３６Ａの本体の内側にある角度で形成されている。角度は、駆動要素２２上の螺旋溝２４に係合するように特に設計されている。設計検討は、回転する駆動要素２２と外側駆動取付要素３６Ａ及び／又は内側駆動取付要素３６Ｂとの間の接触を最大化してカーテン４４Ａ又は４４Ｂの重量を運ぶようになされる。ある実施形態では、外側カーテン駆動取付要素３６Ａ及び駆動歯５ａ並びに内側カーテン駆動取付要素３６Ｂの歯及び内側カーテンの歯４ａは調節可能である。これらのコンポーネントの調節可能性は、カーテンアセンブリのユーザが、螺旋溝２４に対する関係において外側カーテン駆動取付要素３６Ａ及び内側カーテン駆動取付要素３６Ｂの配置の正確なタイミングを設定することを可能にする。
【０１１１】
上の実施形態で説明したカーテン支持体は、外側カーテンの外側カーテン駆動取付要素３６Ａ及び内側カーテン駆動取付要素３６Ｂであるが、カーテン支持体の他の実施形態が同様に使用されてもよい。
【０１１２】
外側カーテンアイドラ取付体
カーテンアセンブリ１は、駆動要素２２に沿ってスライド移動するための回転可能な駆動要素２２に接続された複数の外側カーテンアイドラ取付体６７Ａをさらに備えてもよく、外側カーテン駆動取付要素３６Ａに接続されていない外側カーテン４４Ａの隣接する端部が、１以上の外側アイドラ取付要素６７Ａを使用して駆動要素２２から吊り下げられている。
【０１１３】
外側カーテン４４Ａは、外側駆動取付要素３６Ａに接続された可動端を有している。外側カーテン４４Ａの非可動端はエンドブラケット５４に取り付けられることが可能である。外側アイドラ取付要素６７Ａは、外側カーテン４４Ａの残りの取付点を駆動要素２２に吊り下げるために使用されてもよい。外側アイドラ取付要素６７Ａは、図３１、図３２、図３４及び図３５に示すように、回転可能な駆動要素２２に接続されている。外側アイドラ取付体６７Ａの拡大図が図４２〜図４４に示されている。
【０１１４】
外側アイドラ取付体６７Ａは、外側駆動取付要素３６Ａ及び内側駆動取付要素３６Ｂと同様の形状に形成されてもよい。外側アイドラ取付体６７Ａは、カーテン４４Ａが移動させられる際に駆動要素２２に沿った管の自由な移動を可能にするための滑らかな孔を有してもよく、又は、カーテン４４Ａの移動を支援するために各外側アイドラ取付体６７Ａ上に歯を有してもよい。
【０１１５】
外側アイドラ取付体は、外側アイドラ取付要素６７Ａ上の外側キャリア取付ポスト６を外側カーテンガイドキャリア６９上の開口部５５内に挿入することによって、外側カーテンキャリア６９に連結されている。外側電流キャリアは次いで、支持ガイド１１内の外側カーテンキャリアトラック１２内に位置決めされる。このことは、外側カーテンアイドラ取付体６７Ａが要素２２を回転させることを阻止し、又は、要素２２の回転を結合することを阻止する。
【０１１６】
外側カーテンアイドラ取付体６７Ａは、外側カーテン４４Ａの端部を外側カーテンアイドラ取付体に取り付けるために従来のカーテンフック又はピンが使用可能なスロット又は孔９９を備えることが好ましい。図４２は、外側カーテンアイドラ取付体６７Ａ上の孔９９及びピンフック１４の一例を図示している。
【０１１７】
内側カーテン４４Ｂは、エンドブラケット５４に接続された固定端と、内側駆動取付要素３６Ｂに取り付けられた他端と、を有してもよい。内側カーテンキャリアトラック８１及びフック１７は、駆動要素２２の軸に沿って支持ガイド１１の内側カーテンキャリアトラック８１に、内側カーテン４４Ｂの残りの取付点を吊り下げるために使用されてもよい。
【０１１８】
外側カーテン４４Ａは外側駆動取付要素３６Ａに接続され、内側カーテン４４Ｂは内側駆動取付要素３６Ｂに取り付けられる。この配置によって、外側カーテン４４Ａ及び内側カーテン４４Ｂの駆動取付要素３６Ａ及び３６Ｂが同一の駆動要素２２にともに連結され、それらは駆動要素２２にわたって順に移動することができる。
【０１１９】
外側ドライバストール領域及び内側ドライバストール領域
カーテンアセンブリ１は、駆動要素２２の一端に位置決めされて、外側駆動取付要素３６Ａを、駆動要素２２の螺旋溝２４に係合させて螺旋溝２４との係合を解除するための少なくとも１つの外側ドライバストール領域１００を含むことが好ましい。
【０１２０】
カーテンアセンブリ１はまた、内側カーテン駆動要素３６Ｂを所定の位置に保持する一方で外側駆動取付要素３６Ａが駆動要素２２を通って移動するように構成された駆動要素２２の遠位端上に位置決めされた少なくとも１つの内側ドライバストール領域１５を含むことが好ましい。
【０１２１】
図３３〜図３４は、駆動要素２２の一方の遠位部分３５、５９の外側ドライバストール領域１００を示している。図５１は、駆動要素２２の反対側の遠位端３５、５９の内側ドライバストール領域１５を示している。図４９は、駆動要素２２の各遠位端部分の外側ドライバストール領域１００と、２つのストール領域１００の間に位置決めされた内側ドライバストール領域１５と、を有する回転可能な駆動要素２２を示している。図４９に示す回転可能な駆動要素２２は、中央閉めカーテンとして、外側カーテン４４Ａ及び内側カーテン４４Ｂに適合する。
【０１２２】
外側ドライバストール領域１００の詳細を示す拡大図を図３４に示す。外側ドライバストール領域１００は、駆動要素２２の外面２６に形成された螺旋溝２４がない駆動要素２２のセクションである。外側ドライバストール領域１００は、外側カーテン４４Ａ又は内側カーテン４４Ｂの螺旋溝２４に沿った移動を中断して、カーテンアセンブリ１が、どちらの取付要素（外側カーテン駆動取付要素３６Ａ又は内側カーテン駆動要素３６Ｂのいずれか）が螺旋溝２４に係合されるかを変化させることを可能にする。
【０１２３】
外側ドライバストール領域１００はまた、外側カーテン駆動取付要素３６Ａとともに外側カーテンアイドラ取付要素６７Ａのための空間を集める又は提供するように機能する。例えば、外側カーテン駆動取付要素３６Ａは、駆動要素２２に係合されて駆動要素２２を通って移動するとき、駆動セクションの端部の外側ドライバストール領域１００に到達する。外側ドライバストール領域１００は、螺旋溝２４内の外側カーテン駆動取付要素３６Ａの移動を停止し、外側カーテン駆動取付要素３６Ａを一次的に保持する。カーテン４４Ａの残りの隣接する端部を保持している外側カーテンアイドラ取付要素６７Ａは、外側カーテン駆動取付要素３６Ａによって押され、最終的に、外側カーテン駆動取付要素３６Ａが螺旋溝２４との係合から解除されるまで外側ドライバストール領域１００に積み重なり、反対方向に駆動要素２２が回転するまでストールしたままにされる。この係合の解除が生じると、外側カーテン駆動取付要素３６Ａは、エンドブラケット５４に向かって内側カーテン係合体４９を移動させる、外側ドライバストール領域１００内の外側カーテンアイドラ取付体６７Ａを押す。正確な長さである内側カーテン４４Ｂは、内側ドライバストール領域１５から外側に内側カーテン駆動要素を引っ張って、螺旋溝２４に係合させる。
【０１２４】
ある実施形態では、内側ドライバストール領域１５は、外側ドライバストール領域１００の反対側で駆動要素２２の遠位端５９に位置決めされ、内側カーテン駆動要素３６Ｂを所定の位置にストールしたままに保持するように機能する。他の実施形態では、図４９に示すように、少なくとも１つの内側ドライバストール領域１５が２つの外側ドライバストール領域１００の間に位置決めされる。駆動要素２２上の内側ドライバストール領域１５の位置は、内側カーテン駆動要素３６Ｂが駆動要素２２上を動く駆動要素２２の部分の端部を規定する。
【０１２５】
上述したように、図２７は、外側カーテン４４Ａ（暗幕）が展開位置にあって内側カーテン４４Ｂも展開位置にあるときのカーテンアセンブリ１を示している。この時点で、外側カーテン４４Ａは完全に広げられ、カーテン駆動取付要素３６Ａは駆動要素２２の一方の遠位端で螺旋溝２４内にあり、内側カーテン駆動要素３６Ｂは、駆動要素２２の同じ端部で内側ドライバストール領域１５内にある。図２８に示すように、外側カーテン４４Ａが格納位置にあって内側カーテン４４Ｂが展開位置にとどまるようにカーテンの一部を変化させるために、駆動要素２２は反対方向に回転し始める。駆動要素２２の回転は、外側カーテン４４Ａに取り付けられた外側カーテン駆動取付要素３６Ａを移動させ、外側カーテン駆動取付要素３６Ａが外側ドライバストール領域に移動するまで格納位置にカーテン４４Ａを折り畳み、外側ドライバストール領域１００では、外側カーテン駆動取付要素３６Ａは、外側アイドラ取付要素６７Ａを外側ドライバストール領域に押し、エンドブラケット５４に向かって内側カーテン係合体４９を押し進め、内側カーテン４４Ｂが正確な長さになり広げられているので、内側カーテン４４Ｂ及び内側カーテン駆動要素３６Ｂ上に引っ張る圧力を形成する。この引っ張る圧力は、内側ドライバストール領域１５から外側に内側カーテン駆動要素３６Ｂを引っ張り、図２８に示すように、カーテンを位置決めする螺旋溝２４に係合させる。内側カーテン４４Ｂが完全に広げられるとき、内側カーテン駆動要素３６Ｂは内側ドライバストール領域１５内に移動する。内側カーテンはここでは広げられているので、外側カーテン駆動取付要素３６Ａは、外側カーテン４４Ａを展開するように準備された螺旋溝２４内に引っ張られる。内側ドライバストール領域１５は螺旋溝２４を有していないので、内側カーテン取付要素３６Ｂは、駆動要素２２に沿って移動することを阻止され又は駆動要素２２に沿ってストールされる。
【０１２６】
外側駆動取付要素３６Ａが駆動要素２２を通って移動する際、外側カーテン４４Ａは、格納位置から完全な展開位置に移動し、外側駆動取付要素３６Ａは、内側ドライバストール領域１５内の内側カーテン駆動要素３６Ｂに対して上方に移動し、駆動要素２２の回転を停止させる。カーテンアセンブリ１は次いで、図２７に示すようになり、外側カーテン４４Ａが展開位置にあり、内側カーテン４４Ｂが展開位置にある。
【０１２７】
図２９に示すように、内側カーテン４４Ｂを格納位置まで移動させるため、駆動要素２２は回転し、外側ストール領域１００内に移動する外側駆動取付要素３６Ａは、内側ストール領域１５から内側カーテン駆動要素３６Ｂを引っ張り、それによって、内側カーテン駆動要素３６Ｂを螺旋溝２４に係合させる。内側カーテン駆動要素３６Ｂは、内側カーテン駆動要素３６Ｂ外側駆動取付要素３６Ａを押して駆動要素２２の回転を停止させるまで、展開位置から駆動要素２２の他方の遠位端の格納位置まで駆動要素２２を通ってカーテン３を移動させる。この時点で、内側駆動取付要素３６Ｂは螺旋溝２４に係合される。
【０１２８】
ガイド機構
カーテンアセンブリ１は支持ガイド１１を含むことが好ましく、ガイド手段は、駆動要素２２に沿ってずれを生じさせずに外側及び内側カーテン４４Ａ、４４Ｂの移動を容易にする。支持ガイド１１はまた、外側カーテン４４Ａ又は内側カーテン４４Ｂが展開位置に完全に広げられたときにカーテンパネルの間隔を空けることを支援する。
【０１２９】
一実施形態では、支持ガイド１１は、回転可能な駆動要素２２に平行に位置決めされた細長い対のチャネルである。支持ガイド１１は、図４８の端面図を含むいくつかの図面に示されている。内側カーテンキャリアトラック８１及び外側カーテンキャリアトラック１２は、同一の部分であるが、それらの機能が異なるので異なる符号を付して異なるように説明した。内側カーテンキャリア９３は開口部５５を有しており、内側カーテン駆動要素３６Ｂ上の内側キャリア取付ポスト３１が内側カーテンの一端に挿入され、内側カーテン係合体４９上の内側キャリア取付ポスト３１が他端上に挿入される。残りの内側カーテンキャリア９３は、従来技術で公知であるように開口部５５内に挿入されたＳ字フック１７を有している。
【０１３０】
外側駆動取付要素３６Ａ及び内側カーテンアイドラ取付体６７Ａはハンガーピン孔９９を有することが好ましく、ピンフック１４は取付要素に接続されて外側カーテン４４Ａを支持する。さらに、外側カーテン４４Ａに対するこれらの取付要素３６Ａ及び６７Ａは、支持ガイド１１の外側カーテンキャリアトラック１２に乗るカーテンキャリア６９の開口部５５内に外側キャリア取付ポスト６を挿入することによって、回転からガイドされて保持される。
【０１３１】
この配置は、駆動要素２２にわたってカーテン４４Ａ又は４４Ｂの移動を手動で操作することのオプションをユーザに提供する。例えば、ユーザはカーテンアセンブリ１を手動で操作することを決定し得る。ユーザは、モータ８２をオフにして、引きひも７２を使用することによって駆動要素２２を手動で回転させることができる。
【０１３２】
カーテンアセンブリ１のモータ８２は、窓３４を開ける幅だけカーテンを移動させるために駆動要素２２の予め設定された回転数を工場からプログラミングされる。しかしながら、この予め設定された回転数が変化してもよい様々な理由がある。例えば、駆動要素２２は、より狭い窓３４に適合するために短縮され得る。
【０１３３】
従って、モータ８２の初期設定は、駆動要素２２がカーテン４４Ａ又は４４Ｂを完全に開ける又は完全に閉める回転数を計数することが可能であってもよい。このことは、設定ルーティンによって実現されてもよく、リモコン装置９６上のプログラムボタン９８を１度押すことによってモータ８２を起動してカーテン４４Ａ、４４Ｂを移動させ、その後、異なる時間にボタン９８を押すことによって、カーテン４４Ａ、４４Ｂが移動した回転数を保存する移動を停止する。
【０１３４】
回転数は、３度目にプログラムボタン９８を押してモータ１６を逆回転させ、反対方向にカーテン４４Ａ、４４Ｂを移動させることによって確認することができる。４度目にプログラムボタン９８を押すと、カーテン４４Ａ、４４Ｂを停止させ、計数を比較し、設定ルーティンを完了するためにメモリ内に新たな計数を設定する。リモコン装置９６上のプログラムボタン９８が内側の時間に押されない場合、モータ８２は、予め設定された計数に到達するまで駆動し、その後、モータ８２は停止する。回転数がそれまでに失われた場合、図５２に示すように、外側カーテン４４Ａが完全に展開されたときに外側カーテン駆動取付要素３６Ａが駆動要素２２の回転を停止させるときのゼロ位置を制御部が再設定することができ、又は、図５４に示すように、外側カーテン４４Ａ及び内側カーテン４４Ｂが完全に格納され、内側カーテン駆動要素３６Ｂが駆動要素２２の回転を停止させるときのゼロ位置を制御部が再設定することができる。
【０１３５】
特定の実施形態では、駆動要素２２は、内側ドライバ取付要素３６Ｂ及び外側ドライバ取付要素３６Ａが駆動要素のいずれかの端部に接触するようになるときに回転を停止する。内側ドライバ取付要素３６Ｂ及び外側ドライバ取付要素３６Ａが接触すると、内側ドライバ取付要素３６Ｂ及び外側ドライバ取付要素３６Ａはともに結合してそれらの歯が駆動要素の溝に結合する。内側ドライバ取付要素３６Ｂ及び外側ドライバ取付要素３６Ａの支持ガイド１１に対する反対方向での相互接続はこの結合を引き起こすことを助ける。内側ドライバ取付要素３６Ｂ及び外側ドライバ取付要素３６Ａがともに結合すると、駆動要素は結合され、コントローラ基板は、駆動要素がもはや回転しておらず、モータの駆動を停止することを感知する。
【０１３６】
特定の実施形態では、ストール領域１００及び／又は１５は、内側ドライバ取付要素３６Ｂ及び外側ドライバ取付要素３６Ａの一方が駆動要素２２を下に移動させることを阻止する。内側ドライバ取付要素３６Ｂ及び外側ドライバ取付要素３６が互いに交わるとき、軸方向力（回転する駆動要素の回転軸を下げる）が、ストールしたドライバを、依然として駆動しているドライバに結合する。このことは、外側ドライバから吊り下げられたカーテンの重量と、支持ガイドへの内側ドライバ取付要素３６Ｂ及び外側ドライバ取付要素３６Ａの相互接続とに結合されて、歯が依然として管に係合されているドライバが、回転駆動要素を束ねさせる。その点で、このドライバは、試行して回転軸回りに回転するようにトルクが付与され、かつ、支持ガイドによって回転を阻止され、そのことがモータをストールさせて、モータを駆動させることを停止するようにコントローラ基板に信号を送信する。
【０１３７】
ゴム装着ディスク１３に装着された二重カーテンアセンブリは、格納した又は展開したカーテンを人が引き寄せて、モータを起動して最後の移動から反対方向にカーテンを移動させるように、動作感度を増大させる。モータ制御部は、回転数を計数しており、予め規定の計数に一致するときに、モータを停止させる。
【０１３８】
中央閉め実施形態
二重カーテンアセンブリ１の代替の実施形態が図４９及び図５０に示されており、外側カーテン４４Ａ及び内側カーテン４４Ｂは中央閉めカーテンである。中央閉めカーテンは、窓３４を閉じて覆うために窓３４の中央で交わる右側パネル及び左側パネルの２つの生地パネルから構成されている。図５０では、外側カーテン４４Ａは、展開位置にある中央閉め暗幕カーテンであり、内側カーテン４４Ｂは、同様に展開位置にある中央閉めシアーカーテンである。図４９では、外側カーテン４４Ａは、格納位置にある中央閉め暗幕カーテンであり、内側カーテン４４Ｂは、展開位置にある中央閉めシアーカーテンである。本実施形態では、駆動要素２２の駆動要素２２は、４つの螺旋溝２４を有していることが好ましく、２つが時計回り方向に形成されて２つが反時計回り方向に形成される。例えば、図５９に示す反対側の螺旋溝２４は、１つのモータ８２が駆動要素２２を一方向に回転させることによって中央閉めカーテンの正確な移動を形成する。図５９は、駆動要素の外面に形成された４つの螺旋溝を示すカーテンアセンブリの一実施形態に係る回転可能な駆動要素の拡大断面図である。図５９はまた、駆動要素の外面に形成された４つの螺旋溝を示すカーテンアセンブリの一実施形態に係る回転可能な駆動要素の拡大斜視図である。
【０１３９】
中央閉めカーテンに適合するため、カーテンアセンブリ１は、図４９及び図５０に示すように、左外側駆動取付要素３６Ａ、右外側駆動取付要素３６Ａ、左内側駆動要素３６Ｂ及び右内側駆動取付要素３６Ｂを有している。左外側駆動取付要素３６Ａは、外側カーテン４４Ａの左側パネルの一端に接続されている。右外側駆動取付要素３６Ａは、外側カーテン４４Ａの右側パネルの一端に接続されている。左内側駆動要素３６Ｂは、内側カーテン４４Ｂの左側パネルの隣接端に接続されており、内側カーテンの反対端はエンドブラケット５４に取り付けられている。右内側駆動取付要素３６Ｂは、内側カーテン４４Ｂの右側パネルの隣接端に接続されており、内側カーテンの反対端はエンドブラケット５４に取り付けられている。
【０１４０】
図４９は、回転可能な駆動要素２２の一実施形態を示しており、外側カーテン４４Ａ及び内側カーテン４４Ｂの両方が中央閉めカーテンである。回転する駆動要素２２の各遠位端に位置決めされた外側ドライバストール領域１００と、外側ドライバストール領域１００同士の間に位置決めされた内側ドライバストール領域１５と、がある。例えば、左外側駆動取付要素３６Ａの駆動要素２２の螺旋溝２４への係合及び係合の解除のために駆動要素２２に沿って位置決めされた左外側ドライバストール領域１００と、右外側駆動取付要素３６Ａの駆動要素２２の螺旋溝２４への係合及び係合の解除のために駆動要素２２に沿って位置決めされた右外側ドライバストール領域１００と、がある。内側ドライバストール領域１５は、右内側駆動取付要素３６Ｂを所定の位置に保持するように構成される一方で、左駆動取付要素３６Ｂは駆動要素２２を通って移動する。同じ内側ドライバストール領域１５がまた、左内側駆動取付要素３６Ｂを所定の位置に保持するように構成される一方で、右駆動取付要素３６Ｂは駆動要素２２を通って移動する。代替の実施形態は、２つの別個の内側ドライバストール領域１５を有することが可能である。図４９は、外側カーテン４４Ａが展開され、内側カーテン４４Ｂが格納されて光の漏れを最小限に抑えるときに窓３４の中央４２で左及び右内側駆動取付要素３６Ｂが交わることを図示している。従って、ある実施形態における単一の内側ドライバストール領域１５は、左内側カーテン駆動要素３６Ｂ及び右内側駆動取付要素３６Ｂの両方に嵌まるように十分に広い。
【０１４１】
図６３Ａ〜図６３Ｌは、本発明の特定の実施形態の制御システムによって実行されるフローチャートである。
【０１４２】
円筒要素の外面に１以上の溝を機械加工する方法及び装置
本件発明の実施形態は、円筒要素の外面上に１以上の溝を機械加工する方法及び装置に関する。ロッド又はシャフトの用語は、中実の円筒物体を参照するものであってよく、中実の円筒物体は、単一の材料又は複数の材料から形成されてよく、かつ、均質であってもよく、若しくは、円筒の長さに沿って及び／又は円筒要素の長手方向軸に対する半径の関数及び／又は回転位置として、層を有する又は材料、密度及び／又は他の材料の特性において変化を有するなどの不均質であってもよい。管の用語は、中空の円筒要素を通る中空通路の内面内に又は内面上に切り出された１以上の特徴部を有し得る中空円筒要素を参照するものであってよい。限定されないものの、１以上の部分的な孔又は円筒要素を貫通する１以上の完全な孔及び／又は円筒要素の外面内又は外面上に切り出された特徴部を有する円筒要素を含む、本件発明の実施形態に係る他のタイプの円筒要素が機械加工されてもよい。特定の実施形態は、単一の螺旋状の溝又は複数の螺旋状の溝を機械加工することに関する。複数の溝を有する実施形態に関して、溝は、すべて同一の巻き方を有してもよく、又は、巻き方において異なってもよい。様々な実施形態のある特徴を教示するための一例として２つの溝を有する実施形態が提供され、実施形態は、３以上の溝又は代替的に単一の溝を機械加工するために単一溝を有している。
【０１４３】
特定の実施形態は、限定されないものの、
（ｉ）シャフト又は管の外面周りに、右回り又は時計回りにねじれた若しくは左回り又は反時計回りにねじれた１以上の溝であって、さらに特定の実施形態では、シャフト又は管の回転時にシャフト又は管に沿ってキャリアを駆動するためにシャフト又は管が使用されることを可能にする１以上の溝を機械加工するステップと、
（ｉｉ）シャフト又は管の外面周りに２以上の溝を機械加工するステップであって、少なくとも１つの溝が右回り又は時計回りのねじれを有しており、かつ、少なくとも他の溝が左回り又は反時計回りのねじれを有しており、ねじれは、さらに特定の実施形態では、シャフト又は管の回転時にシャフト又は管に沿って右回り及び／又は左回りのキャリアを駆動するためにシャフト又は管が使用されることを可能にする、ステップと、
（ｉｉｉ）（ｉ）に従って、少なくとも２つの溝を機械加工するステップを含む１以上の溝を機械加工するステップと、
（ｉｖ）（ｉｉ）に従って、少なくとも２つの右回り溝と少なくとも２つの左回り溝とを機械加工するステップを含む２以上の溝を機械加工するステップと、
（ｖ）（ｉ）に従って、１以上の溝が１８０°離れている１以上の溝を機械加工するステップと、
（ｖｉ）（ｉ）及び／又は（ｉｉ）に従って、１以上の溝が０．２５０インチの径のカッタによって０．０４０インチの深さで切り出される、１以上の溝を機械加工するステップと、
（ｖｉｉ）（ｉ）及び／又は（ｉｉ）に従って、１８０°離れている溝を機械加工するステップと、
（ｖｉｉｉ）（ｉ）及び／又は（ｉｉ）に従って、各溝のラフ（荒）部分を切り出すラフ（荒）切削ツールと、各溝のフィニッシュ（仕上げ）部分を切り出すフィニッシュ（仕上げ）切削ツールと、を使用して、ラフ切削ツール及びフィニッシュ切削ツールが溝のリードの半分である、溝を機械加工するステップと、を含む。
【０１４４】
本件発明の特定の実施形態は、本発明の様々な実施形態によって組み込まれ得る複数の特徴部を例示するために説明される。図１〜図３を参照すると、ロッド又は管１上に螺旋状の溝１２の対を切り出すための装置設定の一実施形態が示されており、ロッド又は管１は旋盤１０上に配置されて固定される。溝１２の巻き方は、右回り（時計回り）であっても左回り（反時計回り）であってもよい。ロッド又は管のある回転方向に関して、溝の巻き方は、方向レバー７の方向の係合によって選択することが可能であり、回転する円筒要素に対して切削ツールが移動する方向を方向レバーが制御する。ツールポスト５の移動速度は、速度調整器の１つによって設定され、速度調整器は、所定の回転速度及び円筒の半径に関して、溝１２の移動リードを設定し、移動リードは、円筒要素の長手方向軸に対して平行な軸に対して溝１２がなす角度である。レバー６は、所望のリードを生成するためにチャック又はスピンドルに噛み合わせられるリードねじに係合するために使用される。
【０１４５】
溝切削ツール１１は、ツールポスト５上のツールホルダ９内に固定される。ロッド又は管１は旋盤１０のチャック８内に配置される。従来技術で公知であるように、垂直バックアップローラ４はロッド又は管１の上面に対して配置され、水平バックアップローラ３は溝１２が切り出されている間にロッドを支持するためにロッド又は管１の背面に対して配置される。深さを切り出すツール１１は、図３に示すように、ツール１１の各セットに関して異なるように設定される。複数の設定が使用され得る一方で、実施形態に示されるように、第１カッタ又はラフ（荒）カッタは、総深さの２分の１以上である溝の初期深さまで円筒要素内に切り込み、最終カッタ又はフィニッシュ（仕上げ）カッタは、溝１２を深くするために円筒要素内にさらに切り込む。ラフカッタは、本実施形態ではフィニッシュカッタよりも円筒要素内に切り込むが、他の実施形態では、フィニッシュカッタは、溝の深さの半分以上を切り込むことができる。一実施形態では、平坦であり得るカッタの上部は、カッタと駆動要素との間の接触点で駆動要素に対する接平面に対して垂直である。
【０１４６】
図３に示す一実施形態では、円筒要素は、円筒要素の上面がページから外側に出てくるように回転しており、また、ツールポスト５は要素１に対して右から左に移動している。４つのカッタがあり、左側に示される最初の２つのカッタは、２つの別個の溝１２に関して、ある深さに設定されるラフ深さの切れ込みを形成し、右側に示される２つのフィニッシュカッタは、それぞれの溝内にさらに切れ込む。図３に示す実施形態では、ラフカット（図３の左側）は０．０３０インチの深さである一方で、フィニッシュカット（図３の右側）は、溝にさらに０．０１０インチの深さを加えてフィニッシュの溝の深さを０．０４０インチにする。
【０１４７】
一実施形態では、２つのラフカッタは互いにリードの半分の間隔を空けられ、２つのフィニッシュカッタは互いにリードの半分の間隔を空けられ、その結果、２つの溝が、１８０°の間隔又はリードの半分の間隔を空けられ、リードは、溝の３６０°の一回転によってカバーされるシャフト又は管の軸に沿った直線距離として定義される。任意の数のカッタが各溝を切り出すために使用することが可能であるが、２つの（例えばラフ及びフィニッシュ）カッタが各溝のために使用されるときに、回転する要素を下方にツールポスト５が２回通過することを避けるために、２つのカッタが各溝に必要とされる。図３に示す実施形態は、図７及び図８に示すような１対の螺旋状の溝を形成する。この実施形態では、２つの溝は、１８０°の間隔又はリードの半分の間隔を空けて配置されるが、他の実施形態は、１８０°より大きい又は小さい間隔を有している。
【０１４８】
図４〜図６を参照すると、図１〜図３の装置は、ロッド又は管上に螺旋状の溝１２の２つの対向する対を切り出すために使用されるように示されており、ロッド又は管１は依然として旋盤１０上の所定の位置にあって固定され、ツールポスト５は、第１対の溝が仕上げられた後に他の方向に移動する。図１は、小さな半分未満の長さの第１対の溝が切り出されてツールポスト５が右から左に移動する点を示している。垂直バックアップローラ４は再び、ロッド又は管１の上面に対して配置され、水平ローラ３は、ロッド又は管１の背面に対して配置されてロッドを支持する一方で、図３で切り出されるように示される反対の巻き方の対の溝を有する溝１２は従来技術で公知のように切り出される。
【０１４９】
反対の巻き方の溝１２は、ラフカッタツールホルダ９（例えば図２及び図３の９Ｒ）とフィニッシュカッタツールホルダ９（例えば図２及び図３の９Ｆ）とを切り替えて、原形の溝が切り出されるときのように回転する円筒要素に対して反対方向にツールポスト５が移動させられるように、方向レバー６を逆転させることによって、（交差する）元の溝１２上に切り出されることが可能である。横切るリードが同一であるように、ツールポスト５の反転速度は１回目の通過中と同一のままであってよく、円筒要素の回転速度は１回目の通過中と同一のままであってよい。ラフカッタツールホルダ９（例えば図２及び図３の９Ｒ）とフィニッシュカッタツールホルダ９（例えば図２及び図３の９Ｆ）とに代えて、同一のカッタがラフ切り出し及びフィニッシュ切り出しに使用される場合、溝切削ツール１１の切り出し幅は変更されてもよく、その結果、１回目の通過（図３の９Ｒにおける１１Ａ及び１１Ｂ）でラフ深さを設定するカッタは、２回目の通過（図６の９Ｆにおける１１Ａ及び１１Ｂ）でフィニッシュ深さを設定し、１回目の通過（図３の９Ｆにおける１１Ａ及び１１Ｂ）でフィニッシュ深さを設定するカッタは、２回目の通過（図６の９Ｒにおける１１Ａ及び１１Ｂ）でラフ深さを設定し、ツールポスト５のツールホルダ９に固定される。図７及び図８に示す実施形態では、４つのカッタがあり、最初の２つのカッタがラフ深さを設定するラフ深さを切り出し、フィニッシュカッタは最終的な深さに溝内にさらに切れ込む。図７及び図８に示す実施形態では、ラフ切れ込みは０．０３０インチの深さである一方で、フィニッシュ切り出しは、さらに０．０１０インチを切り出して、最終的に０．０４インチの深さの溝を生じさせる。
【０１５０】
再び、２つのラフカッタは、互いに半分のリードで間隔を空けられており、２つのフィニッシュカッタは、互いに半分のリードで間隔を空けられている。前述のように、任意の数のカッタが使用され得るが、２つのツールが各溝のために使用されるときにツールポスト５を下に回転する要素を２回通過させることを避けるために、２つのラフカッタと２つのフィニッシュカッタとが必要とされる。２つの右回り溝と２つの左回り溝とを有する実施形態では、各溝にラフカッタとフィニッシュカッタとを使用して、４つのカッタが、２回の通過で４つの溝を達成するために必要とされる。このことは、図９及び図１０に示すように、２つの対向する対の螺旋状の溝を形成する。この実施形態では、ロッドの周縁の周囲で測定される場合に、溝は１８０°の間隔を空けて配置されているが、１８０°より大きな又は小さな間隔を有する他の実施形態が考慮される。
【０１５１】
溝の「ピッチ」の間隔の公差に関して、本件のツールホルダの実施形態はこの間隔が一定であるようにする。一実施形態では、４．０”のリードは、カーテンの速度及び送り性能に関して十分に機能するが、他のリードも利用される。一実施形態は、ピッチ上で＋／−０．１２”の公差を有しており、この公差は、溝を切り出す機械（旋盤）の送り速度に基づいており、一定でなければならない。
【０１５２】
溝の半径は、溝を切り出すために複合工作機械を使用することによって．１２５半径ツールに基づいており、１／４”のボールエンドミルである。旋盤を使用する実施形態では、異なるカッタが使用される。溝の実際の最終形状の実際の半径は約．１１８”である。完成した溝が．１１８の半径であるように管上での各切り出しのために異なるツールが使用されることが可能である。
【０１５３】
旋盤を使用する一実施形態では、溝の深さの公差は＋／−．０１０”である。
【０１５４】
図１１Ａは、管又はシャフトの外面に溝を形成するために管又はシャフトの外面の一部を切り出すために使用されるストックビットすなわちツール１１の斜視図であり、角度θは、管又はシャフトの外面に対向するビットの前側部分ボール１３がビット１１の上面１５に垂直な線１４に対してなす角度である。特定のストックビット１１に関する角度θは約１１°である。図１１Ｂは、θ＞３０°を有する本件発明の実施形態に係る溝１２の一部を切り出すために利用され得るビット１１の一実施形態を示している。角度を増大させることによって、リード角度を有する溝の一部をビットが切り出すことを可能にし、リード角度は、特に、溝のフィニッシュ部分又はより深い部分を切り出すビット１１に関して、標準的なビットが切り出し中に溝の側面を削ぎ落とし得る。図１１Ｃは、４５°の角度θを有する本件発明に係るビット１１の一実施形態を示している。本発明の特定の実施形態は、角度θ＞１５°、θ＞２０°、θ＞２５°、θ＞３０°、θ＞３５°、θ＞４０°、θ＞４５°、１５°＞θ＞２０°、２０°＞θ＞２５°、２５°＞θ＞３０°、３０°＞θ＞３５°、３５°＞θ＞４０°及び／又は４０°＞θ＞４５°を有するビット１１を利用することができる。ビットは、例えば、角度θ＝１１°を有する標準的なビットの一部を研磨することによって形成され得る。様々な実施形態が、形状、サイズ、材料又は他の特性において、同一の又は異なるラフカッタビット及びフィニッシュカッタビット、２つの溝のための同一の又は異なる２つのカッタビットを利用することができる。
【０１５５】
図１２Ａ、図１２Ｂ及び図１２Ｃは、２列のツール１１を組み込んだツールホルダ９の一実施形態を示しており、すなわち、回転する管又はシャフトに対してツールホルダ９が右又は左に移動させられる、管又はシャフト内に溝を切り出すためのツール１１を有する上側列と、回転する管又はシャフトに対してツールホルダ９が右又は左に移動させられる、管又はシャフト内に溝を切り出すためのツール１１を有する下側列と、を組み込んでおり、上側列及び下側列に関して、ラフカッタは溝の切り出しを開始し、フィニッシュカッタは溝を完成させる。図１２Ａ〜図１２Ｃに示す実施形態は、５対のカッタを組み込んでおり、各対は、隣接する対以外の所に切り出し、５対のうちの５つの左側カッタは第１溝を切り出し、５対のうちの５つの右側カッタは第２溝を切り出し、上側列は第１巻き方の溝の対を切り出し、下側列は、反対の巻き方の溝の対を切り出す。
【０１５６】
本発明の実施形態は、円筒要素の外面内に１以上の溝を切り出す方法及び装置に関する。実施形態１として参照され得る特定の実施形態は、
円筒要素の長手方向軸回りに円筒要素を回転させるステップを含み、長手方向軸回りに円筒要素を回転させる間にさらに、
長手方向軸に平行な方向に互いに対してラフカッタと回転する円筒要素とを移動させるステップであって、ラフカッタはラフ開始位置からラフ終了位置まで移動し、ラフ開始位置は、円筒要素の長さに沿ったラフ軸方向開始位置と、長手方向軸回りのラフ回転開始位置と、を有しており、ラフ終了位置は、円筒要素の長さに沿ったラフ軸方向終了位置と、長手方向軸回りのラフ回転終了位置と、を有している、ステップと、
長手方向軸に平行な方向に互いに対してフィニッシュカッタと回転する円筒要素とを移動させるステップであって、フィニッシュカッタはフィニッシュ開始位置からフィニッシュ終了位置まで移動し、フィニッシュ開始位置は、円筒要素の長さに沿ったフィニッシュ軸方向開始位置と、長手方向軸回りのフィニッシュ回転開始位置と、を有しており、フィニッシュ終了位置は、円筒要素の長さに沿ったフィニッシュ軸方向終了位置と、長手方向軸回りのフィニッシュ回転終了位置と、を有している、ステップと、を含み、
ラフ開始位置から第３位置までラフカッタを移動させる間に、ラフカッタが円筒要素の外面のラフ部分を切り出すように外面に対してラフカッタを位置決めし、
フィニッシュ開始位置からフィニッシュ終了位置までフィニッシュカッタを移動させる間に、フィニッシュカッタが円筒要素の外面のフィニッシュ部分を切り出すように外面に対してフィニッシュカッタを位置決めし、
ラフ部分を切り出してフィニッシュ部分を切り出すことによって円筒要素の外面に溝を形成する。
【０１５７】
カッタと回転する要素とを移動させるステップは、所定の位置で要素を回転させて回転する要素の外面に沿ってカッタを移動させること、所定の位置でカッタを保持して回転する要素を移動させること、又は、カッタ及び回転する要素の両方を移動させることによって達成されることが可能である。ラフカッタ及びフィニッシュカッタは、同一の回転位置又は異なる回転位置で始動されることが可能であり、これらの回転位置は、互いに対してカッタと回転する要素とが移動させられる際に同一のままでよく、又は、変化してもよく、かつ、それらの相対移動の速度は変化してもよく又は一定であってもよい。回転する要素は一定の回転速度で回転させられてもよく、又は、回転速度は、回転する要素とカッタとが互いに対して移動する間に変化してもよい。カッタは、回転する要素の外面に常に接触したままであってもよく、又は、外面との接触から離れてもよく、カッタは、外面に係合しているときに一定の深さまで切り出してもよく、若しくは、深さは、外面に係合している間に変化してもよく、ラフカッタ及びフィニッシュカッタは、同一の速度又は異なる速度で移動してもよく、かつ、その速度は一定であってもよく変化してもよい。同様に、２つのラフカッタ及び／又は２つのフィニッシュカッタを使用する実施形態は、回転する要素とカッタとの相対移動の間、同一の速度又は異なる速度で移動するラフカッタ及び／又はフィニッシュカッタを有してもよい。２回の通過は、所望のとおりに、同一の方向又は反対の方向になされてもよい。円筒は、カッタの適切な位置によっていずれの方向に回転させられてもよい。
【０１５８】
特定の実施形態では、実施形態１の限定を組み込むと、フィニッシュ回転開始位置がラフ回転開始位置と同一である場合、フィニッシュ軸方向開始位置は、ラフ軸方向開始位置からｎリードだけ軸方向に離されており、リードは、円筒要素の外面で溝の３６０°の一回転によってカバーされる軸方向距離であり、ｎは、１以上の値を有する整数である。これによって、フィニッシュカッタが、ラフカッタによって開始された溝内をさらに切り出すことを可能にする。特定の実施形態では、ｎ＝１であり、軸方向開始位置は１リードだけ離されている。
【０１５９】
実施形態２として参照され得る特定の実施形態では、ラフ回転終了位置はラフ回転開始位置と同一であり、フィニッシュ回転終了位置はフィニッシュ回転開始位置と同一であり、フィニッシュ回転開始位置はラフ回転開始位置と同一であり、ラフカッタをラフ開始位置からラフ終了位置まで移動させている間に、ラフカッタはラフ回転開始位置に維持され、フィニッシュ開始位置からフィニッシュ終了位置までフィニッシュカッタを移動させている間に、フィニッシュカッタはフィニッシュ回転開始位置に維持され、円筒要素を回転させるステップは円筒要素を一定の回転速度で回転させるステップを含み、ラフ開始位置からラフ終了位置までラフカッタを移動させるステップは、ラフ開始位置からラフ終了位置まで第１軸速度でラフカッタを移動させるステップを含み、第１軸速度は一定の軸速度であり、フィニッシュ開始位置からフィニッシュ終了位置までフィニッシュカッタを移動させるステップは、フィニッシュ開始位置からフィニッシュ終了位置までフィニッシュカッタを第１軸速度で移動させるステップを含み、フィニッシュ軸方向開始位置は、ラフ軸方向開始位置からｎリードだけ軸方向に離されており、リードは、円筒要素の外面内で溝の３６０°の一回転によってカバーされる軸方向距離であり、ｎは、１以上の値を有する整数であり、ｎ＝１である。
【０１６０】
実施形態１の限定を組み込んだ実施形態３として参照され得るさらなる実施形態では、長手方向軸回りに円筒要素を回転させる間にさらに、
長手方向軸に平行な方向に互いに対して第２ラフカッタと回転する円筒要素とを移動させるステップであって、第２ラフカッタは第２ラフ開始位置から第２ラフ終了位置まで移動し、第２ラフ開始位置は、円筒要素の長さに沿った第２ラフ軸方向開始位置と、長手方向軸回りの第２ラフ回転開始位置と、を有しており、第２ラフ終了位置は、円筒要素の長さに沿った第２ラフ軸方向終了位置と、長手方向軸回りの第２ラフ回転終了位置と、を有している、ステップと、
長手方向軸に平行な方向に互いに対して第２フィニッシュカッタと回転する円筒要素とを移動させるステップであって、第２フィニッシュカッタは第２フィニッシュ開始位置から第２フィニッシュ終了位置まで移動し、第２フィニッシュ開始位置は、円筒要素の長さに沿った第２フィニッシュ軸方向開始位置と、長手方向軸回りの第２フィニッシュ回転開始位置と、を有しており、第２フィニッシュ終了位置は、円筒要素の長さに沿った第２フィニッシュ軸方向終了位置と、長手方向軸回りの第２フィニッシュ回転終了位置と、を有している、ステップと、を含み、
第２ラフ開始位置から第２ラフ終了位置まで第２ラフカッタを移動させる間に、第２ラフカッタが円筒要素の外面の第２ラフ部分を切り出すように外面に対して第２ラフカッタを位置決めし、
第２フィニッシュ開始位置から第２フィニッシュ終了位置まで第２フィニッシュカッタを移動させる間に、第２フィニッシュカッタが円筒要素の外面の第２フィニッシュ部分を切り出すように外面に対して第２フィニッシュカッタを位置決めし、
第２ラフ部分を切り出して第２フィニッシュ部分を切り出すことによって円筒要素の外面に溝を形成する。
【０１６１】
実施形態３の限定を組み込んだ実施形態４として参照され得るさらに特定の実施形態では、第２フィニッシュ軸方向開始位置は、第２ラフ軸方向開始位置からｍリードだけ軸方向に離されており、ｍは、１以上の値を有する整数である。このようにして、第２フィニッシュカッタは、第２ラフカッタによって開始された溝を辿る。特定の実施形態ではｍ＝１である。
【０１６２】
実施形態４の限定を組み込んだ実施形態５として参照され得るさらに特定の実施形態では、第２ラフ軸方向開始位置は、フィニッシュ軸方向開始位置から（ｐ＋１／２）リードだけ軸方向に離されており、ｐは、ゼロ以上の値を有する整数であり、ｐ＝０である。
【０１６３】
実施形態１の限定を組み込んだ実施形態６として参照され得るさらに特定の実施形態では、長手方向軸回りに円筒要素を回転させる間にさらに、
長手方向軸に平行な方向に互いに対して第２ラフカッタと回転する円筒要素とを移動させるステップであって、第２ラフカッタは第２ラフ開始位置から第２ラフ終了位置まで移動し、第２ラフ開始位置は、円筒要素の長さに沿った第２ラフ軸方向開始位置と、長手方向軸回りの第２ラフ回転開始位置と、を有しており、第２ラフ終了位置は第２ラフ軸方向終了位置及び第２ラフ回転終了位置を有している、ステップと、
長手方向軸に平行な方向に互いに対して第２フィニッシュカッタと回転する円筒要素とを移動させるステップであって、第２フィニッシュカッタは第２フィニッシュ開始位置から第２フィニッシュ終了位置まで移動し、第２フィニッシュ開始位置は、円筒要素の長さに沿った第２フィニッシュ軸方向開始位置と、長手方向軸回りの第２フィニッシュ回転開始位置と、を有しており、第２フィニッシュ終了位置は第２フィニッシュ軸方向終了位置及び第２フィニッシュ回転終了位置を有している、ステップと、を含み、
第２ラフ開始位置から第２ラフ終了位置まで第２ラフカッタを移動させる間に、第２ラフカッタが円筒要素の外面の第２ラフ部分を切り出すように外面に対して第２ラフカッタを位置決めし、
第２フィニッシュ開始位置から第２フィニッシュ終了位置まで第２フィニッシュカッタを移動させる間に、第２フィニッシュカッタが円筒要素の外面の第２フィニッシュ部分を切り出すように外面に対して第２フィニッシュカッタを位置決めし、
第２ラフ部分を切り出して第２フィニッシュ部分を切り出すことによって円筒要素の外面に溝を形成する。
【０１６４】
実施形態７として参照され得る特定の実施形態は、円筒要素の外面内に２つの溝を切り出す方法及び装置に関し、
円筒要素の長手方向軸回りに円筒要素を回転させるステップと、
長手方向軸に平行な方向に互いに対して第１カッタと回転する円筒要素とを移動させるステップであって、第１カッタは第１開始位置から第１終了位置まで移動し、第１開始位置は、円筒要素の長さに沿った第１軸方向開始位置と、長手方向軸回りの第１回転開始位置と、を有しており、第１終了位置は、円筒要素の長さに沿った第１軸方向終了位置と、長手方向軸回りの第１回転終了位置と、を有している、ステップと、
長手方向軸に平行な方向に互いに対して第２カッタと回転する円筒要素とを移動させるステップであって、第２カッタは第２開始位置から第２終了位置まで移動し、第２開始位置は、円筒要素の長さに沿った第２軸方向開始位置と、長手方向軸回りの第２回転開始位置と、を有しており、第２終了位置は、円筒要素の長さに沿った第２軸方向終了位置と、長手方向軸回りの第２回転終了位置と、を有している、ステップと、を含み、
第１開始位置から第１終了位置まで第１カッタを移動させる間に、第１カッタが円筒要素の外面の第１部分を切り出すように外面に対して第１カッタを位置決めし、
第２開始位置から第２終了位置まで第２カッタを移動させる間に、第２カッタが円筒要素の外面の第２部分を切り出すように外面に対して第２カッタを位置決めし、
第１部分を切り出すことによって円筒要素の外面に第１溝を形成し、
第２部分を切り出すことによって円筒要素の外面に第２溝を形成する。
【０１６５】
実施形態７の限定を組み込んだ実施形態８として参照され得るさらに特定の実施形態では、第１回転終了位置は第１回転開始位置と同一であり、第２回転終了位置は第２回転開始位置と同一であり、第２回転開始位置は第１回転開始位置と同一であり、第１開始位置から第１終了位置まで第１カッタを移動させる間に、第１カッタは第１回転開始位置に維持され、第２開始位置から第２終了位置まで第２カッタを移動させる間に、第２カッタは第２回転開始位置に維持され、第２回転開始位置は第１回転開始位置と同一であり、円筒要素を回転させるステップは、一定の回転速度で円筒要素を回転させるステップを含み、第１開始位置から第１終了位置まで第１カッタを移動させるステップは、第１開始位置から第１終了位置まで第１軸速度で第１カッタを移動させるステップを含み、第１軸速度は一定の軸速度であり、第２開始位置から第２終了位置まで第２カッタを移動させるステップは、第２開始位置から第２終了位置まで第１軸速度で第２カッタを移動させるステップを含み、第２軸方向開始位置は、第１軸方向開始位置から分離軸方向距離だけ軸方向に離されており、第２溝は、分離軸方向距離だけ第１溝から離されており、分離軸方向距離は（ｋ＋１／２）リードであり、リードは、円筒要素の外面内で第１溝の３６０°の一回転によってカバーされる軸方向距離であり、ｋは、ゼロ以上の値を有する整数であり、ｋ＝０である。
【０１６６】
円筒要素の外面上に１以上の溝を機械加工するさらなる方法及び装置
以下の実施形態１〜３５は、上述した実施形態１〜８の特徴を共有してもよく、又は、共有しなくてもよいが、実施形態１〜８の説明に必ずしも関連しない実施形態の番号を付与する実施形態１〜３５として参照される。
【０１６７】
実施形態１  円筒要素の外面内に１以上の溝を切り出す方法であって、
円筒要素の長手方向軸回りに円筒要素を回転させるステップを含み、長手方向軸回りの円筒要素の回転中にさらに、
長手方向軸に平行な方向に互いに対してラフカッタと回転する円筒要素とを移動させるステップであって、ラフカッタはラフ開始位置からラフ終了位置まで移動し、ラフ開始位置は、円筒要素の長さに沿ったラフ軸方向開始位置と、長手方向軸回りのラフ回転開始位置と、を有しており、ラフ終了位置は、円筒要素の長さに沿ったラフ軸方向終了位置と、長手方向軸回りのラフ回転終了位置と、を有している、ステップと、
長手方向軸に平行な方向に互いに対してフィニッシュカッタと回転する円筒要素とを移動させるステップであって、フィニッシュカッタはフィニッシュ開始位置からフィニッシュ終了位置まで移動し、フィニッシュ開始位置は、円筒要素の長さに沿ったフィニッシュ軸方向開始位置と、長手方向軸回りのフィニッシュ回転開始位置と、を有しており、フィニッシュ終了位置は、円筒要素の長さに沿ったフィニッシュ軸方向終了位置と、長手方向軸回りのフィニッシュ回転終了位置と、を有している、ステップと、を含み、
ラフ開始位置からラフ終了位置までラフカッタを移動させる間に、ラフカッタが円筒要素の外面のラフ部分を切り出すように外面に対してラフカッタを位置決めし、
フィニッシュ開始位置からフィニッシュ終了位置までフィニッシュカッタを移動させる間に、フィニッシュカッタが円筒要素の外面のフィニッシュ部分を切り出すように外面に対してフィニッシュカッタを位置決めし、
ラフ部分を切り出してフィニッシュ部分を切り出すことによって円筒要素の外面に溝を形成する、方法。
【０１６８】
実施形態２  ラフ回転終了位置はラフ回転開始位置と同一である、実施形態１に記載の方法。
【０１６９】
実施形態３  フィニッシュ回転終了位置はフィニッシュ回転開始位置と同一である、実施形態２に記載の方法。
【０１７０】
実施形態４  フィニッシュ回転開始位置はラフ回転開始位置と同一である、実施形態３に記載の方法。
【０１７１】
実施形態５  ラフ開始位置からラフ終了位置までラフカッタを移動させる間に、ラフカッタはラフ回転開始位置に維持される、実施形態２に記載の方法。
【０１７２】
実施形態６  フィニッシュ開始位置からフィニッシュ終了位置までフィニッシュカッタを移動させる間に、フィニッシュカッタはフィニッシュ回転開始位置に維持される、実施形態３に記載の方法。
【０１７３】
実施形態７  ラフ開始位置からラフ終了位置までラフカッタを移動させる間に、ラフカッタはラフ回転開始位置に維持され、フィニッシュ開始位置からフィニッシュ終了位置までフィニッシュカッタを移動させる間に、フィニッシュカッタはフィニッシュ回転開始位置に維持される、実施形態４に記載の方法。
【０１７４】
実施形態８  円筒要素を回転させるステップは、一定の回転速度で円筒要素を回転させるステップを含む、実施形態１に記載の方法。
【０１７５】
実施形態９  円筒要素を回転させるステップは、一定の回転速度で円筒要素を回転させるステップを含む、実施形態７に記載の方法。
【０１７６】
実施形態１０  ラフ開始位置からラフ終了位置までラフカッタを移動させるステップは、ラフ開始位置からラフ終了位置まで第１軸速度でラフカッタを移動させるステップを含み、第１軸速度は一定の軸速度であり、フィニッシュ開始位置からフィニッシュ終了位置までフィニッシュカッタを移動させるステップは、フィニッシュ開始位置からフィニッシュ終了位置まで第１軸速度でフィニッシュカッタを移動させるステップを含む、実施形態９に記載の方法。
【０１７７】
実施形態１１  フィニッシュ軸方向開始位置は、ラフ軸方向開始位置からｎリードだけ軸方向に離されており、リードは、円筒要素の外面の溝の３６０°の一回転によってカバーされる軸方向距離であり、ｎは、１以上の値を有する整数である、実施形態１０に記載の方法。
【０１７８】
実施形態１２  ｎ＝１である、実施形態１１に記載の方法。
【０１７９】
実施形態１３  長手方向軸回りに円筒要素を回転させる間に、
長手方向軸に平行な方向に互いに対して第２ラフカッタと回転する円筒要素とを移動させるステップであって、第２ラフカッタは第２ラフ開始位置から第２ラフ終了位置まで移動し、第２ラフ開始位置は、円筒要素の長さに沿った第２ラフ軸方向開始位置と、長手方向軸回りの第２ラフ回転開始位置と、を有しており、第２ラフ終了位置は、円筒要素の長さに沿った第２ラフ軸方向終了位置と、長手方向軸回りの第２ラフ回転終了位置と、を有している、ステップと、
長手方向軸に平行な方向に互いに対して第２フィニッシュカッタと回転する円筒要素とを移動させるステップであって、第２フィニッシュカッタは第２フィニッシュ開始位置から第２フィニッシュ終了位置まで移動し、第２フィニッシュ開始位置は、円筒要素の長さに沿った第２フィニッシュ軸方向開始位置と、長手方向軸回りの第２フィニッシュ回転開始位置と、を有しており、第２フィニッシュ終了位置は、円筒要素の長さに沿った第２フィニッシュ軸方向終了位置と、長手方向軸回りの第２フィニッシュ回転終了位置と、を有している、ステップと、をさらに含み、
第２ラフ開始位置から第２ラフ終了位置まで第２ラフカッタを移動させる間に、第２ラフカッタが円筒要素の外面の第２ラフ部分を切り出すように外面に対して第２ラフカッタを位置決めし、
第２フィニッシュ開始位置から第２フィニッシュ終了位置まで第２フィニッシュカッタを移動させる間に、第２フィニッシュカッタが円筒要素の外面の第２フィニッシュ部分を切り出すように外面に対して第２フィニッシュカッタを位置決めし、
第２ラフ部分を切り出して第２フィニッシュ部分を切り出すことによって円筒要素の外面に第２溝を形成する、実施形態１２に記載の方法。
【０１８０】
実施形態１４  第２ラフ回転開始位置、第２フィニッシュ回転開始位置、第２ラフ回転終了位置及び第２フィニッシュ回転終了位置はラフ回転開始位置と同一である、実施形態１３に記載の方法。
【０１８１】
実施形態１５  第２ラフ開始位置から第２ラフ終了位置まで第２ラフカッタを移動させる間に、第２ラフカッタは第２ラフ回転開始位置に維持され、第２フィニッシュ開始位置から第２フィニッシュ終了位置まで第２フィニッシュカッタを移動させる間に、第２フィニッシュカッタは第２フィニッシュ回転開始位置に維持される、実施形態１４に記載の方法。
【０１８２】
実施形態１６  第２ラフ開始位置から第２ラフ終了位置まで第２ラフカッタを移動させるステップは、第２ラフ開始位置から第２ラフ終了位置まで第１軸速度で第２ラフカッタを移動させるステップを含み、第２フィニッシュ開始位置から第２フィニッシュ終了位置まで第２フィニッシュカッタを移動させるステップは、第２フィニッシュ開始位置から第２フィニッシュ終了位置まで第１軸速度で第２フィニッシュカッタを移動させるステップを含む、実施形態１５に記載の方法。
【０１８３】
実施形態１７  第２フィニッシュ軸方向開始位置は、第２ラフ軸方向開始位置からｍリードだけ軸方向に離されており、ｍは、１以上の値を有する整数である、実施形態１６に記載の方法。
【０１８４】
実施形態１８  ｍ＝１である、実施形態１７に記載の方法。
【０１８５】
実施形態１９  第２ラフ軸方向開始位置は、（ｐ＋１／２）リードだけフィニッシュ軸方向開始位置から軸方向に離されており、ｐは、ゼロ以上の値を有する整数である、実施形態１８に記載の方法。
【０１８６】
実施形態２０  ｐ＝０である、実施形態１９に記載の方法。
【０１８７】
実施形態２１  長手方向軸回りに円筒要素を回転させる間に、
長手方向軸に平行な方向に互いに対して第２ラフカッタと回転する円筒要素とを移動させるステップであって、第２ラフカッタは第２ラフ開始位置から第２ラフ終了位置まで移動し、第２ラフ開始位置は、円筒要素の長さに沿った第２ラフ軸方向開始位置と、長手方向軸回りの第２ラフ回転開始位置と、を有しており、第２ラフ終了位置は第２ラフ軸方向終了位置及び第２ラフ回転終了位置を有している、ステップと、
長手方向軸に平行な方向に互いに対して第２フィニッシュカッタと回転する円筒要素とを移動させるステップであって、第２フィニッシュカッタは第２フィニッシュ開始位置から第２フィニッシュ終了位置まで移動し、第２フィニッシュ開始位置は、円筒要素の長さに沿った第２フィニッシュ軸方向開始位置と、長手方向軸回りの第２フィニッシュ回転開始位置と、を有しており、第２フィニッシュ終了位置は第２フィニッシュ軸方向終了位置及び第２フィニッシュ回転終了位置を有している、ステップと、を含み、
第２ラフ開始位置から第２ラフ終了位置まで第２ラフカッタを移動させる間に、第２ラフカッタが円筒要素の外面の第２ラフ部分を切り出すように外面に対して第２ラフカッタを位置決めし、
第２フィニッシュ開始位置から第２フィニッシュ終了位置まで第２フィニッシュカッタを移動させる間に、第２フィニッシュカッタが円筒要素の外面の第２フィニッシュ部分を切り出すように外面に対して第２フィニッシュカッタを位置決めし、
第２ラフ部分を切り出して第２フィニッシュ部分を切り出すことによって円筒要素の外面に第２溝を形成する、実施形態１に記載の方法。
【０１８８】
実施形態２２  円筒要素の外面内に２つの溝を切り出す方法であって、
円筒要素の長手方向軸回りに円筒要素を回転させるステップと、
長手方向軸に平行な方向に互いに対して第１カッタと回転する円筒要素とを移動させるステップであって、第１カッタは第１開始位置から第１終了位置まで移動し、第１開始位置は、円筒要素の長さに沿った第１軸方向開始位置と、長手方向軸回りの第１回転開始位置と、を有しており、第１終了位置は、円筒要素の長さに沿った第１軸方向終了位置と、長手方向軸回りの第１回転終了位置と、を有している、ステップと、
長手方向軸に平行な方向に互いに対して第２カッタと回転する円筒要素とを移動させるステップであって、第２カッタは第２開始位置から第２終了位置まで移動し、第２開始位置は、円筒要素の長さに沿った第２軸方向開始位置と、長手方向軸回りの第２回転開始位置と、を有しており、第２終了位置は、円筒要素の長さに沿った第２軸方向終了位置と、長手方向軸回りの第２回転終了位置と、を有している、ステップと、を含み、
第１開始位置から第１終了位置まで第１カッタを移動させる間に、第１カッタが円筒要素の外面の第１部分を切り出すように外面に対して第１カッタを位置決めし、
第２開始位置から第２終了位置まで第２カッタを移動させる間に、第２カッタが円筒要素の外面の第２部分を切り出すように外面に対して第２カッタを位置決めし、
第１部分を切り出すことによって円筒要素の外面に第１溝を形成し、
第２部分を切り出すことによって円筒要素の外面に第２溝を形成する、方法。
【０１８９】
実施形態２３  第１回転終了位置は第１回転開始位置と同一である、実施形態２２に記載の方法。
【０１９０】
実施形態２４  第２回転終了位置は第２回転開始位置と同一である、実施形態２３に記載の方法。
【０１９１】
実施形態２５  第２回転開始位置は第１回転開始位置と同一である、実施形態２４に記載の方法。
【０１９２】
実施形態２６  第１開始位置から第１終了位置まで第１カッタを移動させる間に、第１カッタは第１回転開始位置に維持される、実施形態２２に記載の方法。
【０１９３】
実施形態２７  第２開始位置から第２終了位置まで第２カッタを移動させる間に、第２カッタは第２回転開始位置に維持される、実施形態２４に記載の方法。
【０１９４】
実施形態２８  第１開始位置から第１終了位置まで第１カッタを移動させる間に、第１カッタは第１回転開始位置に維持され、第２開始位置から第２終了位置まで第２カッタを移動させる間に、第２カッタは第２回転開始位置に維持される、実施形態２５に記載の方法。
【０１９５】
実施形態２９  第２回転開始位置は第１回転開始位置と同一である、実施形態２８に記載の方法。
【０１９６】
実施形態３０  円筒要素を回転させるステップは、一定の回転速度で円筒要素を回転させるステップを含む、実施形態２２に記載の方法。
【０１９７】
実施形態３１  円筒要素を回転させるステップは、一定の回転速度で円筒要素を回転させるステップを含む、実施形態２９に記載の方法。
【０１９８】
実施形態３２  第１開始位置から第１終了位置まで第１カッタを移動させるステップは、第１開始位置から第１終了位置まで第１軸速度で第１カッタを移動させるステップを含み、第１軸速度は一定の軸速度であり、第２開始位置から第２終了位置まで第２カッタを移動させるステップは、第２開始位置から第２終了位置まで第１軸速度で第２カッタを移動させるステップを含む、実施形態３１に記載の方法。
【０１９９】
実施形態３３  第２軸方向開始位置は、分離軸方向距離だけ第１軸方向開始位置から軸方向に離されており、第２溝は分離軸方向距離だけ第１溝から離されている、実施形態３２に記載の方法。
【０２００】
実施形態３４  分離軸方向距離は（ｋ＋１／２）リードであり、リードは、円筒要素の外面の第１溝の３６０°の一回転によってカバーされる軸方向距離であり、ｋは、ゼロ以上の値を有する整数である、実施形態３３に記載の方法。
【０２０１】
実施形態３５  ｋ＝０である、実施形態３４に記載の方法。
【０２０２】
回転する円筒要素の近くでのツールボックス５の横断の制御、及び、円筒要素の回転の制御などの本発明の態様は、コンピュータによって実行されるプログラムモジュールなどのコンピュータ実行可能な命令の全般的なコンテキスト内に記述され得る。概して、プログラムモジュールは、特定のタスクを実行する又は特定の抽象データ型を実装するルーティン、プログラム、オブジェクト、コンポーネント、データ構造等を含む。さらに、当業者であれば、マルチプロセッサシステム、マイクロプロセッサベースの又はプログラム可能な家庭用電化製品、ミニコンピュータ、メインフレームコンピュータ等を含む様々なコンピュータシステム構成によって実行され得る。任意の数のコンピュータシステム及びコンピュータネットワークが、本発明とともの使用に利用可能であることを理解するであろう。
【０２０３】
特定のハードウェアデバイス、プログラミング言語、コンポーネント、プロセス、プロトコル、及び、動作環境などを含む多くの細部を本発明の完全な理解を提供するために説明した。他の例では、本発明を曖昧にすることを避けるために、構造、デバイス及びプロセスを、詳細にではなくブロック図の形態で示した。しかしながら、当業者であれば、これらの特定の詳細なしでも本発明を実施し得ることを理解するであろう。コンピュータシステム、サーバ、ワークステーション及び他の機械が、例えば、１つのネットワーク又は複数のネットワークを含む通信媒体を通じて互いに接続され得る。
【０２０４】
当業者であれば、本発明の実施形態が、特に、方法、システム又はコンピュータプログラム製品として具現化され得ることを理解するであろう。従って、実施形態は、ハードウェアの実施形態、ソフトウェアの実施形態、又は、ソフトウェア及びハードウェアを組み合わせた実施形態の形態をとり得る。一実施形態では、本発明は、１以上のコンピュータ読み取り可能な媒体上で具現化されたコンピュータ使用可能な命令を含むコンピュータプログラム製品の形態をとる。
【０２０５】
コンピュータ読み取り可能な媒体は、揮発性及び不揮発性媒体の両方、一過性及び非一過性、可搬性及び非可搬性媒体、及び、データベースによって読み取り可能なコンテンプレート（ｃｏｎｔｅｍｐｌａｔｅ）媒体、スイッチ、及び様々な他のネットワークデバイスを含む。一例として、限定されないものの、コンピュータ読み取り可能媒体は、情報を記憶するための任意の方法又は技術で実行される媒体を含む。記憶された情報の例は、コンピュータ使用可能な命令、データ構造、プログラムモジュール、及び他のデータ表示を含む。媒体の例は、限定されないものの、情報配信媒体、ＲＡＭ、ＲＯＭ、ＥＥＰＲＯＭ、フラッシュメモリ又は他のメモリ技術、ＣＤ−ＲＯＭ、デジタル多用途ディスク（ＤＶＤ）、ホログラフィック媒体、又は、他の光学ディスクストレージ、磁気カセット、磁気テープ、磁気ディスクストレージ、及び他の磁気ストレージデバイスを含む。これらの技術は、すぐに、一時的に又は恒久的にデータを記憶することができる。
【０２０６】
本発明は、通信ネットワークを通じてリンクされた遠隔処理デバイスによってタスクが実行される分散コンピューティング環境で実施されてもよい。分散コンピューティング環境では、プログラムモジュールが、メモリ記憶デバイスを含む、ローカル及びリモートのコンピュータストレージ媒体内に配置され得る。コンピュータが使用可能な命令は、コンピュータが入力のソースに従って反応することが可能なインターフェースを形成する。命令は、受信したデータのソースと連動して受信されたデータに応答して様々なタスクを起動するための他のコードセグメントと協働する。
【０２０７】
本発明は、通信ネットワークなどのネットワーク環境で実施され得る。こうしたネットワークは、ルータ、サーバ、ゲートウェイ等の様々なタイプのネットワーク構成要素に接続するために広く使用される。さらに、本発明は、様々な公共ネットワーク及び／又はプライベートネットワークを有するマルチネットワーク環境で実施され得る。
【０２０８】
ネットワーク構成要素同士の間の通信は無線であってよく又は有線（ｗｉｒｅｄ）であってもよい。当業者であれば理解するように、通信ネットワークは、複数の異なる形態をとってもよく、かつ、複数の異なる通信プロトコルを使用してもよい。また、本発明は、本願明細書で説明した形態及び通信プロトコルに限定されない。
【０２０９】
本願明細書で参照又は引用されたすべての特許、特許出願、仮出願及び公開は、本願明細書の明確な教示に矛盾しない限りにおいてすべての図面及び表を含むその全体が参照によって本願明細書に組み込まれる。
【０２１０】
本願明細書で説明した例及び実施形態は例示のためになされたものであり、その点を考慮した様々な変形又は変更が、当業者に対して提案され、かつ、本願の精神及び範囲内に含まれるべきである。
【符号の説明】
【０２１１】
１      二重カーテンアセンブリ
３      外側ドライバキャリア取付ポスト
４ｂ    第１内側駆動歯
４ａ    第２内側駆動歯
５ａ    第１外側駆動歯
５ｂ    第２外側駆動歯
６      外側キャリア取付ポスト
７      モータ制御回路基板
９      内側駆動要素
１０    駆動要素
１１    支持ガイド
１２    外側カーテンキャリアトラック
１３    ゴム装着ディスク
１４    ピンフック
１５    内側ドライバストール領域
１７    Ｓ字フック
１８    軸
２０    カーテンアセンブリ
２１    バッテリ
２２    駆動要素
２３    右外側カーテン駆動取付要素
２４    螺旋ガイド構造
２５    右内側カーテン駆動取付要素
２６    外面
２７    モータ駆動アダプタ
２８    スリップリング
２９    内側カーテン係合体キャッチ
３０    引きひも
３１    内側キャリア取付ポスト
３２    モータアセンブリ
３３    回転アセンブリ
３４    窓
３５    モータ端
３６    ドライバ取付要素
３６Ａ  外側ドライバ取付要素
３６Ｂ  内側ドライバ取付要素
３７    ループ
３８    時計回り螺旋溝
３９    ループ
４０    反時計回り螺旋溝
４２    中央
４３    外部電源
４４Ａ  外側カーテン
４４Ｂ  内側カーテン
４５    壁ブラケット
４６    中央閉めカーテン
４７    バッテリスリーブ
４８    左側パネル
４９    中間カーテン係合体
５０    右側パネル
５１    端部キャップ
５２    軸
５３    モータハウジング
５４    エンドブラケット
５５    開口部
５６    外径
５７    軸受けハウジング
５８    モータ端
５９    軸受け端
６０    長手方向軸
６１    内側管
６２    ドライバ歯
６３    スリーブ／外側管
６４    非駆動端
６５    フラクタルアンテナ
６６    駆動端
６７    アイドラ取付要素
６７Ａ  外側カーテンアイドラ取付要素
６８    取付点
６９    外側カーテンキャリア
７０    引きロッド
７１    外側歯駆動
７２    引きひも
７３    内側歯駆動
７４    左側ドライバ取付要素
７５    ｏリング
７６    右側ドライバ取付要素
７７    外側駆動管
７８    左引きロッド
８０    右引きロッド
８１    内側カーテンキャリアトラック
８２    モータ
８４    バッテリ
８６    バッテリ管
８７    モータ出力シャフト
８８    第１リード歯
９０    第２リード歯
９１    ボール軸受け
９２    モータ駆動アダプタ
９３    内側カーテンキャリア
９４    軸受け
９５    フィニアル
９６    リモコン装置
９７    引きひもレシーバ
９８    ボタン
９９    フックレシーバ
１００  外側ドライバストール領域
１０１  円筒要素（ロッド又は管）
１０２  バックアップローラホルダ
１０３  水平バックアップローラ
１０４  垂直バックアップローラ
１０５  ツールポスト
１０６  リードねじに係合するためのレバー
１０７  方向レベル
１０８  チャック、部品ホルダ
１０９  ツールホルダ
１１０  旋盤
１１１  ツール
１１２  溝
１１３  ビット前面
１１４  ライン
１１５  ビット上面
【図１】
2015531663.tif 000003
【図２】
2015531663.tif 000004
【図３】
2015531663.tif 000005
【図４】
2015531663.tif 000006
【図５】
2015531663.tif 000007
【図６】
2015531663.tif 000008
【図７】
2015531663.tif 000009
【図８】
2015531663.tif 000010
【図９】
2015531663.tif 000011
【図１０】
2015531663.tif 000012
【図１１】
2015531663.tif 000013
【図１２】
2015531663.tif 000014
【図１３】
2015531663.tif 000015
【図１４】
2015531663.tif 000016
【図１５】
2015531663.tif 000017
【図１６】
2015531663.tif 000018
【図１７】
2015531663.tif 000019
【図１８】
2015531663.tif 000020
【図１９】
2015531663.tif 000021
【図２０】
2015531663.tif 000022
【図２１】
2015531663.tif 000023
【図２２】
2015531663.tif 000024
【図２３】
2015531663.tif 000025
【図２４】
2015531663.tif 000026
【図２５】
2015531663.tif 000027
【図２６】
2015531663.tif 000028
【図２７】
2015531663.tif 000029
【図２８】
2015531663.tif 000030
【図２９】
2015531663.tif 000031
【図３０】
2015531663.tif 000032
【図３１】
2015531663.tif 000033
【図３２】
2015531663.tif 000034
【図３３】
2015531663.tif 000035
【図３４】
2015531663.tif 000036
【図３５】
2015531663.tif 000037
【図３６】
2015531663.tif 000038
【図３７】
2015531663.tif 000039
【図３８】
2015531663.tif 000040
【図３９】
2015531663.tif 000041
【図４０】
2015531663.tif 000042
【図４１】
2015531663.tif 000043
【図４２】
2015531663.tif 000044
【図４３】
2015531663.tif 000045
【図４４】
2015531663.tif 000046
【図４５】
2015531663.tif 000047
【図４６】
2015531663.tif 000048
【図４７】
2015531663.tif 000049
【図４８】
2015531663.tif 000050
【図４９】
2015531663.tif 000051
【図５０】
2015531663.tif 000052
【図５１】
2015531663.tif 000053
【図５２】
2015531663.tif 000054
【図５３】
2015531663.tif 000055
【図５４】
2015531663.tif 000056
【図５５】
2015531663.tif 000057
【図５６】
2015531663.tif 000058
【図５７】
2015531663.tif 000059
【図５８】
2015531663.tif 000060
【図５９】
2015531663.tif 000061
【図６０】
2015531663.tif 000062
【図６１】
2015531663.tif 000063
【図６２】
2015531663.tif 000064
【図６３Ａ】
2015531663.tif 000065
【図６３Ｂ】
2015531663.tif 000066
【図６３Ｃ】
2015531663.tif 000067
【図６３Ｄ】
2015531663.tif 000068
【図６３Ｅ】
2015531663.tif 000069
【図６３Ｆ】
2015531663.tif 000070
【図６３Ｇ】
2015531663.tif 000071
【図６３Ｈ】
2015531663.tif 000072
【図６３Ｉ】
2015531663.tif 000073
【図６３Ｊ】
2015531663.tif 000074
【図６３Ｋ】
2015531663.tif 000075
【図６３Ｌ】
2015531663.tif 000076
【図６４】
2015531663.tif 000077
【図６５】
2015531663.tif 000078
【図６６】
2015531663.tif 000079
【図６７】
2015531663.tif 000080
【図６８】
2015531663.tif 000081
【図６９】
2015531663.tif 000082
【図７０】
2015531663.tif 000083
【図７１】
2015531663.tif 000084
【図７２】
2015531663.tif 000085
【図７３】
2015531663.tif 000086
【図７４】
2015531663.tif 000087
【図７５】
2015531663.tif 000088
【国際調査報告】
2015531663.tif 000089
2015531663.tif 000090
2015531663.tif 000091